(57)【要約】【課題】体腔内の残屑の濾過を提供する塞栓保護を提供するシステムを提供する。【解決手段】本発明の実施形態の塞栓保護を提供するシステムは概して、第１の圧力センサを有するガイドワイヤ、ポートを有する第１のシース、第１のシースの遠位部分に取り付けられる第１の遠位保護フィルタ、第２のシース、及び第２のシースの遠位部分に取り付けられる第２の遠位保護フィルタを有し、展開した構成において、第１の圧力センサは、軸方向に第１の遠位保護フィルタと第２の遠位保護フィルタとの間に配置され且つ軸方向に前記ポートと整列する。【選択図】図２４
2019134972.tif 000002
【特許請求の範囲】
【請求項１】
近位端部、遠位端部、及び前記近位端部と前記遠位端部との間に配置された第１の圧力センサを有するガイドワイヤ；
近位端部、遠位端部、第１のシース管腔及び前記近位端部と前記遠位端部との間のポートを有する第１のシースであって、前記ポートは前記第１のシース管腔と流体連通し、前記第１のシース管腔は前記ガイドワイヤを受け入れるように構成される、第１のシース；
前記第１のシースの遠位部分に取り付けられる第１の遠位保護フィルタ；
近位端部、遠位端部及び第２のシース管腔を有する第２のシースであって、前記第１のシースは前記第２のシース管腔内に前記第２のシースを超えて配置される、第２のシース；
前記第２のシースの遠位部分に取り付けられる第２の遠位保護フィルタ；並びに
前記第１のシース及び前記第２のシース両方の上に配置される外側シース；を有し、
展開前の構成において、前記第１の圧力センサは、軸方向に前記第１の遠位保護フィルタ及び前記第２の遠位保護フィルタの近位に配置され、
展開した構成において、前記第１の圧力センサは、軸方向に前記第１の遠位保護フィルタと前記第２の遠位保護フィルタとの間に配置され且つ軸方向に前記ポートと整列する、
塞栓保護を提供するシステム。
【請求項２】
前記第１の遠位保護フィルタは、第１の近位ループ及び第１の遠位ループを定める第１の摺動可能な交差ポイントを持つ第１の自己拡張フレーム、並びに前記第１の近位ループ又は前記第１の遠位ループの一方に取り付けられる第１のフィルタ要素を有し、前記第１の摺動可能な交差ポイントは前記第１のフィルタ要素に隣接し、
前記第２の遠位保護フィルタは、第２の近位ループ及び第２の遠位ループを定める第２の摺動可能な交差ポイントを持つ第２の自己拡張フレーム、並びに前記第２の近位ループに取り付けられる第２のフィルタ要素を有し、前記第２の摺動可能な交差ポイントは前記第２のフィルタ要素に隣接する、
請求項１に記載のシステム。
【請求項３】
前記外側シースの前記遠位端部に配置される血管内超音波トランスデューサをさらに有する、
請求項１に記載のシステム。
【請求項４】
非外傷性先端に配置される血管内超音波トランスデューサをさらに有し、前記非外傷性先端は前記第１のシースの前記遠位端部から延びる、
請求項１に記載のシステム。
【請求項５】
前記第１の遠位保護フィルタ及び前記第２の遠位保護フィルタのそれぞれに配置される１又は複数のエコー源性特徴部をさらに有する、
請求項１乃至４のいずれか１項に記載のシステム。
【請求項６】
前記展開前の構成において前記第２の遠位保護フィルタの近位で前記外側シースの遠位部分に位置する第２の圧力センサをさらに有する、
請求項１乃至５のいずれか１項に記載のシステム。
【請求項７】
前記展開前の構成において前記第１の遠位保護フィルタの遠位で前記第１のシースに位置する第３の圧力センサをさらに有する、
請求項６に記載のシステム。
【請求項８】
前記第１の遠位保護フィルタの近位で且つ前記第１の遠位保護フィルタに近接して前記第１のシースに位置する第３の圧力センサ、及び前記展開前の構成において前記第２の圧力センサの近位で前記第２のシースに位置する第４の圧力センサ、をさらに有する、
請求項６に記載のシステム。
【請求項９】
前記第１の遠位保護フィルタの中で前記第１のシースに位置する第３の圧力センサ、及び前記展開前の構成において前記第２の遠位保護フィルタの中で前記第２のシースに位置する第４の圧力センサ、をさらに有する、
請求項６に記載のシステム。
【請求項１０】
近位端部及び遠位端部を有する第１の細長部材；
前記第１の細長部材の遠位部分に取り付けられる第１の遠位保護フィルタ；
近位端部、遠位端部及び管腔を有する第１のシースであって、前記第１のシースは前記第１の細長部材の上に配置される、第１のシース；
前記第１のシースの遠位部分に取り付けられる第２の遠位保護フィルタ； 
前記第１の細長部材及び前記第１のシース両方の上に配置される外側シースであって、前記外側シースの前記遠位部分は迅速交換ガイドワイヤ管腔を有する、外側シース； 及び
前記第１の細長部材の中に配置された第１の圧力センサであって、展開前の構成において、前記第１の圧力センサは、軸方向に前記第１の遠位保護フィルタ及び前記第２の遠位保護フィルタの近位に配置され、展開した構成において、前記第１の圧力センサは、軸方向に前記第１の遠位保護フィルタと前記第２の遠位保護フィルタとの間に配置される、第１の圧力センサ；とを有する、
塞栓保護を提供するシステム。
【請求項１１】
前記迅速交換ガイドワイヤ管腔内に配置されるガイドワイヤをさらに有し、前記第１の圧力センサは、前記ガイドワイヤに配置される、
請求項１０に記載のシステム。
【請求項１２】
前記ガイドワイヤは、前記第１の圧力センサ及び前記第１の遠位保護フィルタの遠位に位置する第２の圧力センサをさらに有する、
請求項１１に記載のシステム。
【請求項１３】
前記ガイドワイヤは、前記第１の圧力センサと前記第２の圧力センサとの間に位置する第３の圧力センサをさらに有する、
請求項１２に記載のシステム。
【請求項１４】
前記迅速交換ガイドワイヤ管腔の遠位で前記外側シースに位置する血管内超音波トランスデューサをさらに有する、
請求項１０乃至１３のいずれか１項に記載のシステム。
【請求項１５】
近位端部及び遠位端部を有するガイドワイヤ；
近位端部、遠位端部及び管腔を有る第１のシースであって、前記管腔は前記ガイドワイヤを受け入れるように構成される、第１のシース；
前記第１のシースの遠位部分に取り付けられる第１の遠位保護フィルタ；
近位端部、遠位端部及び管腔を有する第２のシースであって、前記第２のシースは前記第１のシースの上に配置され、前記第２のシースの前記遠位端部は前記第１の遠位保護フィルタの近位に位置する、第２のシース；
前記第２のシースの遠位部分に取り付けられる第２の遠位保護フィルタ；
前記第１のシース及び前記第２のシース両方の上に配置される外側シース；
前記外側シースの前記遠位端部に配置される血管内超音波トランスデューサ；
第１の圧力センサであって、展開前の構成において、前記第１の圧力センサは、軸方向に前記第１の遠位保護フィルタ及び前記第２の遠位保護フィルタの近位に配置され、展開した構成において、前記第１の圧力センサは、軸方向に前記第１の遠位保護フィルタと前記第２の遠位保護フィルタとの間に配置される、第１の圧力センサ；を有する、
塞栓保護を提供するシステム。
【請求項１６】
非外傷性先端に配置される血管内超音波トランスデューサであって、前記非外傷性先端は前記第１のシースの前記遠位端部から延びる、血管内超音波トランスデューサ；をさらに有する、
請求項１に記載のシステム。
【発明の詳細な説明】
【技術分野】
【０００１】
［関連出願の相互参照］
本出願は、２０１３年３月１５日に出願された米国仮出願第６１／７９４、２２２号の優先権を主張し、同仮出願はその全体が参照により本出願に援用される。
［参照による援用］
この明細書で言及される全ての刊行物及び特許出願は、それぞれの個々の刊行物又は特許出願が、具体的且つ個別に参照により援用されることが示されているかのように、同じ程度まで本明細書に援用される。この出願は、その全体が参照により本明細書に援用される、現在米国特許第７，７８９，８９２号として発行されている、米国出願第１１／３２５，２４７号に関連している。
【０００２】
本発明の実施形態は概して、体腔（ｂｏｄｙ  ｌｕｍｅｎ）内の残屑（ｄｅｂｒｉｓ）の濾過を提供する装置及び方法に関する。より具体的には、本発明の実施形態は、医療処置によって発生した残屑の濾過によって遠位部の保護を医療処置に提供する装置及び方法に関する。
【背景技術】
【０００３】
塞栓保護が、塞栓性物質、カルシウム沈着、及び血の流れを妨げ得るより小さい血管への血流内の他の残屑の潜在的に致命的な通過を防ぐために、脈管構造に渡って利用されている。塞栓性物質、カルシウム沈着、及び他の残屑の除去はしばしば、ステント術、血管形成術、関節切除術、弁置換若しくは修復術、動脈内膜切除術又は血栓除去術のように、自然の血流に修復するために血管を開く処置と関連している。これらの処置に付属するものとして使用されるとき、塞栓保護装置が、残屑を捕えるとともに、体からの除去のための手段を提供する。
【０００４】
例えば、図１Ａ及び１Ｂに示される経皮的大動脈弁置換処置では、弁デリバリカテーテル１０が、大動脈１２の管腔１３を通って、下行大動脈１４、大動脈弓１６、上行大動脈１８を経由し、心臓の元々の大動脈弁２０に挿入されることができる。大動脈弓１６を通る挿入中、弁デリバリカテーテル１０は、下行大動脈１４と上行大動脈１８との間の湾曲部を横切るとき、大動脈弓１６の上部と接触する傾向を有する。大動脈弁置換処置中、塞栓性残屑、カルシウム沈着、及び他の残屑が、生成され得る及び／又は元々の弁尖から放たれ得る。この残屑は、右鎖骨下動脈２４及び右総頚動脈２６に分かれる腕頭動脈２２、左総頚動脈２８、及び左鎖骨下動脈３０のような、大動脈１２から分岐する動脈を通って移動し得る。右総頚動脈２６及び左総頚動脈２８に入る残屑は、脳に血液を供給する血管に移動するとともに同血管内に引っ掛かることがあり、潜在的に脳卒中を引き起こす。
【発明の概要】
【発明が解決しようとする課題】
【０００５】
したがって、本明細書に記載されるような様々な医療処置の間に生じ得る、脳卒中のような、合併症を減少させるために、右総頚動脈及び左総頚動脈に対する塞栓保護を提供するシステム及び方法を提供することが望ましい。
【課題を解決するための手段】
【０００６】
本発明は概して、体腔内の残屑の濾過を提供する装置及び方法に関する。より具体的には、本発明の実施形態は、医療処置により発生した残屑の濾過によって遠位部の保護を医療処置に提供する装置及び方法に関する。
【０００７】
本明細書に開示された装置及び方法の変形形態及び修正形態は、当業者にすぐに明らかになるであろう。このようなものとして、前述の概要、詳細な説明及び添付の図面は、明確さ及び理解のために作られたもので、本発明の範囲を限定することが意図されていないことが理解されるべきであり、本発明の範囲は、ここに添付された請求項によって定められる。本明細書に記載された任意の１つの実施形態に記載された任意の特徴は、好適であろうとなかろうと、他の実施形態のいずれかの任意の他の特徴と組み合わされることができる。
【０００８】
幾つかの実施形態では、塞栓保護を提供するシステムが提供される。システムは、近位端部、遠位端部及び管腔を有し、管腔がガイドワイヤを受け入れるように構成される、第１のシース（ｓｈｅａｔｈ）；第１のシースの遠位部分に取り付けられる第１の遠位保護フィルタであって、第１の遠位保護フィルタは、近位ループ及び遠位ループを定める摺動可能な交差ポイントを持つ自己拡張フレーム、並びに第１の遠位保護フィルタの自己拡張フレームの近位ループ又は遠位ループの一方に取り付けられるフィルタ要素を有し、交差ポイントはフィルタ要素に隣接する、第１の遠位保護フィルタ；近位端部、遠位端部及び管腔を有し、第１のシースの上に配置される第２のシースであって、第２のシースの遠位端部は第１の遠位保護フィルタの近位に位置し、第２のシース；第２のシースの遠位部分に取り付けられる第２の遠位保護フィルタであって、第２の遠位保護フィルタは、近位ループ及び遠位ループを定める摺動可能な交差ポイントを持つ自己拡張フレーム、並びに第２の遠位保護フィルタの自己拡張フレームの近位ループに取り付けられるフィルタ要素を有し、交差ポイントはフィルタ要素に隣接する、第２の遠位保護フィルタ；並びに第１のシース及び第２のシース両方の上に配置される外側シース；を含む。
【０００９】
幾つかの実施形態では、第２の遠位保護フィルタのフィルタ要素は、口部及び頂点を有し、フィルタ要素の口部は、近位ループに取り付けられ、頂点はシースに取り付けられていない。
【００１０】
幾つかの実施形態では、第１のシースは、第１の遠位保護フィルタに隣接して停止部を含み、停止部は、停止部の近位の第２のシースの進行を停止するように構成される。
【００１１】
幾つかの実施形態では、外側シースの中に収容された形態では、第１の遠位保護フィルタのフィルタ要素は、第２の遠位保護フィルタを向く口部を有し、第２の遠位保護フィルタのフィルタ要素は、第１の遠位保護フィルタを向く口部を有する。
【００１２】
幾つかの実施形態では、第１の遠位保護フィルタと第２の遠位保護フィルタとの間の距離は、調整可能である。幾つかの実施形態では、第１のシースの位置及び第２のシースの位置は、独立してロック可能であり、第１のシースの位置及び第２のシースの一方は、他のシースの位置が調整される間に、位置をロックされることを可能にする。
【００１３】
幾つかの実施形態では、第１の遠位保護フィルタの自己拡張フレームは少なくとも１つのアンカ要素を含む。幾つかの実施形態では、第２の遠位保護フィルタの自己拡張フレームは少なくとも１つのアンカ要素を含む。幾つかの実施形態では、第１の遠位保護フィルタの少なくとも１つのアンカ要素は、血管壁を部分的に貫通するように構成される。幾つかの実施形態では、第１のシースは、第１の遠位保護フィルタの近位に少なくとも１つのアンカを含む。幾つかの実施形態では、少なくとも１つのアンカは、第１の遠位保護フィルタの交差ポイントと反対の第１のシースの側部に位置する。幾つかの実施形態では、少なくとも１つのアンカは、第１の遠位保護フィルタが外側シースから展開されるとき、患者の大動脈弓内に位置するように構成される。幾つかの実施形態では、第１のシースの少なくとも１つのアンカは、血管壁を部分的に貫通するように構成される。
【００１４】
幾つかの実施形態では、第１の遠位保護フィルタ及び第２の遠位保護フィルタ両方のフィルタ要素は、約２００ミクロン未満の直径を持つ複数の細孔を含む。幾つかの実施形態では、第１の遠位保護フィルタ及び第２の遠位保護フィルタ両方のフィルタ要素の細孔は、フィルタ要素の周辺部分においてより密に分散される。幾つかの実施形態では、第１の遠位保護フィルタ及び第２の遠位保護フィルタ両方のフィルタ要素の細孔は、フィルタ要素の中心部分よりフィルタ要素の周辺部分において大きい。幾つかの実施形態では、フィルタ要素の細孔は、縦長（ｏｂｌｏｎｇ）に形成される。幾つかの実施形態では、フィルタ要素は、レーザドリル孔を持つフィルタ膜を有する。
【００１５】
幾つかの実施形態では、フィルタ要素は、電界紡糸繊維、編まれた繊維、編み上げ繊維、及び織られた繊維から成るグループから選択されるポリマ繊維を有する。幾つかの実施形態では、フィルタ要素は、ポリウレタン、ポリエチレン、及びナイロンから成るグループから選択されるポリマから作られる。
【００１６】
幾つかの実施形態では、第１の遠位保護フィルタ及び第２の遠位保護フィルタ両方のフィルタ要素は、約２５から７５パーセントの開口領域を有する。
【００１７】
幾つかの実施形態では、外側シースは、９Ｆｒ以下である。
【００１８】
幾つかの実施形態では、第１の遠位保護フィルタ及び第２の遠位保護フィルタ両方の自己拡張フレームは、放射線不透過性マーカを含む。幾つかの実施形態では、放射線不透過性マーカは、超弾性コアの周りに巻かれた放射線不透過性のワイヤのコイルである。
【００１９】
幾つかの実施形態では、第１の遠位保護フィルタ及び第２の遠位保護フィルタ両方の遠位ループは、第１のシース又は第２のシースのいずれにも取り付けられない。
【００２０】
幾つかの実施形態では、外側シースは、約１５から４５度の間の湾曲部を持つ湾曲遠位部分を含む。
【００２１】
幾つかの実施形態では、第１の遠位保護フィルタ及び第２の遠位保護フィルタは、薬剤で被覆される。幾つかの実施形態では、薬剤はヘパリンである。
【００２２】
幾つかの実施形態では、第１の遠位保護フィルタの近位ループは、第１のシースに取り付けられ、第２の遠位保護フィルタの近位ループは、第２のシースに取り付けられる。幾つかの実施形態では、第１の遠位保護フィルタの遠位ループは、第１のシースに取り付けられ、第２の遠位保護フィルタの近位ループは、第２のシースに取り付けられる。
【００２３】
幾つかの実施形態では、自己拡張フレームは、８の字形状に形成された１つのワイヤ要素を有する。
【００２４】
幾つかの実施形態では、システムはさらにハブを含み、ハブは、第１のシースの近位部分と係合される第１のハブ部分、第２のシースの近位部分と係合される第２のハブ部分、及び外側シースの近位部分に係合される第３のハブ部分を有し、ハブは、第１のシース、第２のシース、及び外側シースが独立して操作されることを可能にする。幾つかの実施形態では、第３のハブ部分は、取り外し可能であり且つ外側シースが他のシースと交換されることを可能にするように構成される。幾つかの実施形態では、第１のハブ部分、第２のハブ部分及び第３のハブ部分のそれぞれは、ガイドワイヤを受け入れるように構成される。
【００２５】
幾つかの実施形態では、システムはさらに、第１及び第２の遠位保護フィルタ両方の展開後に第１の遠位保護フィルタと第２の遠位保護フィルタとの間の位置で第１のシースに取り付けられる偏向機構（ｄｅｆｌｅｃｔｉｏｎ  ｍｅｃｈａｎｉｓｍ）を含む。幾つかの実施形態では、偏向機構はフラットシールド（ｆｌａｔ  ｓｈｉｅｌｄ）である。
【００２６】
幾つかの実施形態では、少なくとも２つの血管に塞栓保護を提供する方法が提供される。方法は、第１の遠位保護フィルタを第１の血管の第１の場所に前進させるステップであって、第１の遠位保護フィルタは、第１の自己拡張フレーム、並びに口部及び第１の自己拡張フレームに取り付けられた口部を持つ頂点を有する第１のフィルタ要素を含む、ステップ：第１の場所で第１の遠位保護フィルタを展開させるステップ；第２の遠位保護フィルタを第２の血管の第２の場所で操作するステップであって、第２の遠位保護フィルタは、第２の自己拡張フレーム、並びに口部及び第２の自己拡張フレームに取り付けられた口部を持つ頂点を有する第２のフィルタ要素を含む、ステップ：第２の場所で第２の遠位保護フィルタを展開させるステップ；粒子状の残屑を放出又は発生させる脈管構造の部分で処置を実行するステップ；並びに粒子状の残屑を第１の遠位保護フィルタ及び第２の遠位保護フィルタの１又は複数で捕えるステップ；を含む。
【００２７】
幾つかの実施形態では、方法はさらに、外側シースを第２のフィルタ要素の頂点の上に前進させる前に、第２のフィルタ要素の口部を閉じるために外側シースを第２のフィルタ要素の口部の上に前進させるステップ；及び外側シースを第１のフィルタ要素の頂点の上に前進させる前に、第１のフィルタ要素の口部を閉じるために外側シースを第１のフィルタ要素の口部の上に前進させるステップ；を含む。
【００２８】
幾つかの実施形態では、第１の遠位保護フィルタは左総頚動脈において展開され、第２の遠位保護フィルタは腕頭動脈において展開される。
【００２９】
幾つかの実施形態では、方法はさらに、第１の遠位保護フィルタと第２の遠位保護フィルタとの間の距離を調整するステップを含む。幾つかの実施形態では、長さは、第１の遠位保護フィルタの場所を固定し、次に第２の遠位保護フィルタの位置を操作することによって調整される。
【００３０】
幾つかの実施形態では、方法はさらに、第１の遠位保護フィルタに取り付けられたシースを、左総頚動脈と腕頭動脈との間の大動脈弓の上面に従わせるステップを含む。幾つかの実施形態では、方法はさらに、第１の遠位保護フィルタに取り付けられたシースを、左総頚動脈に隣接する大動脈弓の外半径から大動脈弓の内半径に及び腕頭動脈に隣接する大動脈弓の外半径に大動脈弓の内壁に沿って従わせるステップを含む。
【００３１】
幾つかの実施形態では、第１の自己拡張フレームは、近位ループ及び遠位ループを定める摺動可能な交差ポイントを含み、第２の自己拡張フレームは、近位ループ及び第２の自己拡張フレームの近位ループに取り付けられた第２のフィルタ要素の口部を持つ遠位ループを定める摺動可能な交差ポイントを含む。
【００３２】
幾つかの実施形態では、第２のフィルタ要素の頂点は、第２の自己拡張フレームに取り付けられていない。
【００３３】
幾つかの実施形態では、口部閉鎖プロセスの一部の間、第１の自己拡張フレームの遠位ループが第１の自己拡張フレームの交差ポイントに隣接するように、第１のフィルタ要素の口部が閉じられるとき、第１の自己拡張フレームの遠位ループは近位に動く。幾つかの実施形態では、口部閉鎖プロセスの一部の間、第２の自己拡張フレームの遠位ループが第２の自己拡張フレームの交差ポイントに隣接するように、第２のフィルタ要素の口部が閉じられるとき、第２の自己拡張フレームの遠位ループは近位に動く。
【００３４】
幾つかの実施形態では、第２のフィルタの頂点は、第２の遠位保護フィルタが取付けられる構造に取り付けられていない。
【００３５】
幾つかの実施形態では、方法はさらに、第１の遠位保護フィルタ又は第２の遠位保護フィルタのいずれかに捕えられた残屑を吸引するステップを含む。
【００３６】
幾つかの実施形態では、方法はさらに、第１の遠位保護フィルタと第２の遠位保護フィルタとの間に偏向機構を展開するステップを含む。
【００３７】
幾つかの実施形態では、第２の遠位保護フィルタを第２の場所に操作するステップは、第２の遠位保護フィルタを第２の場所に引っ込めるステップを含む。幾つかの実施形態では、第２の遠位保護フィルタを第２の場所に操作するステップは、第２の遠位保護フィルタを第２の場所に前進させるステップを含む。
【図面の簡単な説明】
【００３８】
本発明の新規な特徴は、以下の請求項に詳細に述べられている。本発明の特徴及び利点のより良い理解は、本発明の原理が利用されている、例示的な実施形態を述べる以下の詳細な説明、及び添付の図面を参照して得られるであろう。
【図１Ａ】カテーテルが大動脈内腔内に挿入された状態の大動脈及びその分岐動脈の側面図である。
【図１Ｂ】カテーテルが大動脈内腔内にある状態の大動脈の断面図である。
【図２Ａ−２Ｃ】管腔を変化させるためのフィルタ装置の実施形態の応答を示す。
【図３Ａ−３Ｂ】取り付けられた頂点及び取り付けられていない頂点を有するフィルタ要素を持つ遠位保護フィルタの実施形態を示す。
【図４Ａ−４Ｆ】様々な代替フィルタ構造を示す。
【図５Ａ−５Ｆ】フィルタ装置を使用する幾つかの例示の方法を示す。
【図５Ｇ−５Ｉ】フィルタ装置を使用する幾つかの例示の方法を示す。
【図６Ａ−６Ｅ】フィルタ装置を使用する幾つかの例示の方法を示す。
【図７Ａ−７Ｅ】フィルタ装置を使用する幾つかの例示の方法を示す。
【図８Ａ−８Ｆ】フィルタ装置を使用する幾つかの例示の方法を示す。
【図９Ａ−９Ｂ】２つの遠位保護フィルタを持つフィルタ装置の実施形態を示す。
【図９Ｃ−９Ｄ】遠位保護フィルタのフレームの実施形態を示す。
【図９Ｅ−９Ｆ】遠位保護フィルタのフレームの他の実施形態を示す。
【図１０Ａ−１０Ｆ】遠位保護フィルタのギャップを減少させる機能の実施形態を示す。
【図１１Ａ−１１Ｂ】フレーム要素の構造の実施形態を示す。
【図１１Ｃ】シースの実施形態の側面断面図を示す。
【図１１Ｄ】非外傷性の先端の実施形態の側面断面図を示す。
【図１２Ａ−１２Ｅ】フィルタの長さの制御を可能にする伸縮遠位保護フィルタの実施形態を示す。
【図１３Ａ−１３Ｃ】フィルタのフレームへのフィルタ材料の取り付けの実施形態を示す。
【図１４Ａ−１４Ｂ】様々な細孔分布を持つフィルタ膜の実施形態を示す。
【図１５Ａ−１５Ｂ】内蔵吸引機構を持つフィルタ装置の実施形態を示す。
【図１６】左総頚動脈に展開された遠位保護フィルタ及び腕頭動脈に展開されたもう一つの遠位保護フィルタを持つフィルタ装置の実施形態を示す。
【図１７Ａ】２つの動脈に遠位保護フィルタを展開する方法の実施形態を示す。
【図１７Ｂ】２つの動脈に遠位保護フィルタを展開する方法の実施形態を示す。
【図１７Ｃ】２つの動脈に遠位保護フィルタを展開する方法の実施形態を示す。
【図１７Ｄ】２つの動脈に遠位保護フィルタを展開する方法の実施形態を示す。
【図１７Ｅ】２つの動脈に遠位保護フィルタを展開する方法の実施形態を示す。
【図１７Ｆ】２つの動脈に遠位保護フィルタを展開する方法の実施形態を示す。
【図１７Ｇ】２つの動脈に遠位保護フィルタを展開する方法の実施形態を示す。
【図１７Ｈ】２つの動脈に遠位保護フィルタを展開する方法の実施形態を示す。
【図１７Ｉ】２つの動脈に遠位保護フィルタを展開する方法の実施形態を示す。
【図１７Ｊ】２つの動脈に遠位保護フィルタを展開する方法の実施形態を示す。
【図１７Ｋ】２つの動脈に遠位保護フィルタを展開する方法の実施形態を示す。
【図１７Ｌ】２つの動脈に遠位保護フィルタを展開する方法の実施形態を示す。
【図１８Ａ】処置カテーテルとの干渉を最小にする又は減らすための動脈内のシースの様々な配向の実施形態を示す。
【図１８Ｂ】処置カテーテルとの干渉を最小にする又は減らすための動脈内のシースの様々な配向の実施形態を示す。
【図１８Ｃ】処置カテーテルとの干渉を最小にする又は減らすための動脈内のシースの様々な配向の実施形態を示す。
【図１８Ｄ】フィルタ装置から離れて処置カテーテルを偏向させるための様々な偏向機構の実施形態を示す。
【図１８Ｅ】フィルタ装置から離れて処置カテーテルを偏向させるための様々な偏向機構の実施形態を示す。
【図１９Ａ−１９Ｃ】外側シースを使用して遠位保護フィルタを捕える方法の実施形態を示す。
【図１９Ｄ−１９Ｆ】外側シースを使用して遠位保護フィルタを捕える方法の実施形態を示す。
【図２０Ａ−２０Ｂ】フィルタ装置の様々な構成要素を操作するために使用される様々なハブの実施形態を示す。
【図２１Ａ−２１Ｃ】圧力センサ及びＩＶＵＳ変換器両方を有するガイドウェイの実施形態を示す。
【図２２Ａ−２２Ｄ】カテーテルと平行に一緒に結合された血管内超音波カテーテルの実施形態を示す。
【図２３Ａ−２３Ｂ】圧力センサ及び／又はＩＶＵＳ変換器が、デリバリカテーテル、回収（ｒｅｔｒｉｅｖａｌ）カテーテル又は装置自体の中に統合されたフィルタデリバリシステムの実施形態を示す。
【図２４】１又は複数の超音波トランスデューサ及び１又は複数の圧力センサを有する遠位保護フィルタの実施形態を示す。
【図２５Ａ−２５Ｂ】１又は複数の圧力センサを有するガイドワイヤを受け入れるための迅速交換ガイドワイヤ管腔を有する遠位保護フィルタの実施形態を示す。
【図２５Ｃ】１又は複数の圧力センサを有するガイドワイヤを受け入れるための迅速交換ガイドワイヤ管腔を有する遠位保護フィルタの実施形態を示す。
【図２６】同心配置で多数のセグメントを有するフィルタのワイヤストラット又は支持要素（ｗ／ｓ／ｓ）の断面図である。
【図２７】その中に形成された１又は複数のレーザドリル穴を有するセグメントの実施形態である。
【図２８】その上に形成された１又は複数の隆起特徴部又は代替的に粗くされた部分を有するセグメントの実施形態である。
【図２９】その中に形成された１又は複数の泡を有するセグメントの実施形態である。
【図３０】その中に形成された１又は複数の窪みを有するセグメントの実施形態である。
【図３１】セグメントの中又は周りのコイル又は編組構造を有するセグメントの実施形態である。
【図３２】隣接するリングの間の間隔により測定の指標を提供するために、セグメントの周りのリングに配列された複数のエコー源性マーカを有するセグメントの実施形態である。
【図３３】単独で又は他のセグメントと合わせて使用されるセグメントに関する様々な代替構造を示す。
【図３４】改良されたエコー源性特性を持つフィルタを提供する様々な代替の態様を示す例示のフィルタの図である。
【発明を実施するための形態】
【００３９】
図２Ａは、管腔１０内に位置する本発明のフィルタ装置１００の実施形態を示す。管腔１０は、管腔内に展開され且つ管腔壁に接触しているフィルタ１００の位置を示すために切り取られている。フィルタ１００は、第１の細長部材１０５及び第２の細長部材１１０を含む。幾つかの実施形態では、２つの細長部材は、対向するらせん状の渦巻線であることができる。細長部材は、端部１０２及び１０４を形成するように結合される。細長部材は、交差するが、交差ポイント１０６において互いに結合されず、この交差ポイントは摺動可能であることができる。１つの実施形態では、細長部材は、第１及び第２のセクションを有する。第１のセクションは、端部１０２と交差ポイント１０６との間に延び、第２のセクションは交差ポイント１０６から第２の端部１０４に延びる。幾つかの実施形態は、管腔に異なる方法で接触させるが、図示された実施形態は、管腔内壁の一方の側部に対する端部１０２、１０４を有する一方、交差ポイント１０６は、端部１０２、１０４の間の管腔内壁に沿った一定又はほぼ一定の並置（ａｐｐｏｓｉｔｉｏｎ）の細長ボディとともに管腔内壁の他方の側部と接触する。幾つかの実施形態では、細長部材の直径は、約０．００３、０．００４、０．００５、０．００６、０．００７、０．００８、０．００９、又は０．０１０インチであることができる。より小さい直径のワイヤを使用することは、フィルタが、より低い折り畳みプロファイルを有することを可能にする。幾つかの実施形態では、フィルタは、１０Ｆｒ、９Ｆｒ、８Ｆｒ、７Ｆｒ，６Ｆｒ，又は５Ｆｒ又はより小さいデリバリカテーテルの中に折り畳まれることができる。幾つかの実施形態では、細長部材は、例えば、限定されるものではないが、ニッケル‐チタン合金、ステンレス鋼、コバルトクロム、他の形状記憶合金、他の合金、及びＰＥＥＫ、ＰＴＦＥのような様々なポリマ等のような、可撓性の、生体適合性の、耐疲労性の材料から作られることができる。
【００４０】
図２Ｂ及び２Ｃは、本発明の実施形態の細長支持構造要素がどのように、血管壁により一定の並置を保ちながら、自然な血管の運動で折り畳みする及び拡張するように構成されるかを示す。図２Ａ、２Ｂ及び２Ｃはまた、本発明の実施形態による装置がどれくらい半径方向及び軸方向の両方に伸縮自在であるかを示す。血管サイズの変更に応じて、端部１０２、１０４は、血管サイズが減少するにつれて外側に動き（図２Ｂ）、次に血管サイズが増加するにつれて内側に動く（図２Ｃ）。加えて、（端部１０２、１０４と接触する管腔壁から交差ポイントに測定された）装置の高さ“ｈ”も変化する。装置の高さ“ｈ”は、血管直径の変化に直接関係して変化する（すなわち、血管直径の増加は装置の高さ“ｈ”を増加させる）。このようなものとして、図２Ｃの装置の高さ（“ｈ”）は、図２Ｂの装置の高さ（“ｈ”）より大きい図２Ａの装置の高さ（“ｈ”）より大きい。
【００４１】
図２Ａ、２Ｂ及び２Ｃはまた、どのように１つのサイズの装置が、３つの異なる管腔直径に適合するように使用されることができるかを示す。図２Ｃは大きい管腔を示し、図２Ａは中型の管腔、図２Ｂは小型の管腔を示す。これらの図が明らかにするように、１つの装置は、血管サイズの範囲をカバーするように適合することができ、それによってより良いシールを形成するとともに、広い範囲の血管直径にわたる良好な壁並置を提供する。同様に図示されるのは、幾つかの実施形態の物質捕獲構造１１５の静的又はほぼ静的なフィルタ能力である。これらの実施形態では、それぞれの異なる血管サイズにおいて、物質捕獲構造１１５、繊維１１８及びフィルタセル１１９は、細長ボディによって形成された支持フレーム内で同じ又はほぼ同じ形状及び配向（ｏｒｉｅｎｔａｔｉｏｎ）を保つ。これらの図はまた、壁と並置のままでありながら、血管の不規則性、曲り、フレア（ｆｌａｒｅｓ）及び先細りに適応し且つ従うようにも使用され得る装置の動的に形状が変化する態様を示す。各細長ボディは、他に対して高度な独立性を持って動き得るので、細長ボディによって形成されたループ又は支持フレームはまた、それが中に置かれている管腔部分の形状／直径に独立して合わせることができる。
【００４２】
例えば、１つのサイズの装置が、腕頭動脈及び左総頚動脈のような、様々な血管で使用されることができる。腕頭動脈は、一般的に、約６ｍｍから約２０ｍｍの間若しくはそれ以上、通常約８ｍｍから約１２ｍｍの間、又は約８から１０ｍｍの間の直径を有する。左総頚動脈は、一般的に、約５ｍｍから約１１ｍｍの間、通常約６ｍｍから約１０ｍｍの間、又は約７から８ｍｍの間の直径を有する。大動脈及びその主要な分岐動脈の直径の例は、Ｋａｈｒａｍａｎ他、Ｔｈｅ  Ｄｉａｍｅｔｅｒｓ  ｏｆ  ｔｈｅ  Ａｏｒｔａ  ａｎｄ  Ｉｔｓ  Ｍａｊｏｒ  Ｂｒａｎｃｈｅｓ  ｉｎ  Ｐａｔｉｅｎｔｓ  ｗｉｔｈ  Ｉｓｏｌａｔｅｄ  Ｃｏｒｏｎａｒｙ  Ａｒｔｅｒｙ  Ｅｃｔａｓｉａ，  Ｔｅｘ  Ｈｅａｒｔ  Ｉｎｓｔ  Ｊ  ２００６；  ３３：４６３‐８に開示され、参照によりその全体が本明細書に援用される。幾つかの実施形態では、約６ｍｍ、９ｍｍ、１２ｍｍ、１５ｍｍ、又は１８ｍｍ若しくは約６から１８ｍｍの間の直径サイズを持つフィルタ装置が、腕頭動脈及び左総頚動脈で使用されることができる。図２Ａ−２Ｃに示されるように、これらのフィルタ装置はサイズの動作範囲をカバーするので、１つのフィルタが、典型的な腕頭動脈及び／又は左総頚動脈サイズの、全て又は、例えば、下半分／上半分或いは下３分の１／中心３分の１／上３分の１のように、広範囲をカバーするように使用されることができる。幾つかの実施形態では、腕頭動脈及び左総頚動脈に設置されるフィルタ装置は同じ公称直径サイズを有することができる一方、他の実施形態では、左総頚動脈に設置されるフィルタ装置は、腕頭動脈に設置されるフィルタ装置より小さくなることができる。
【００４３】
図３Ａ−４Ｆは、フィルタ装置の中でのネット又は他のウェブ構造の使用を示す。本明細書に記載される様々なネット構造の実施形態は、本発明のフィルタ装置の実施形態中で物質捕獲構造として使用される。これらの代替のそれぞれは、図２Ａ及び他の装置１００のものと同様の支持構造に示される。管腔１０内で展開されるとき、物質捕獲構造５６０は、別個の頂点５６５（図３Ａ）を持つ円錐のような定められた形状を有する。この実施形態では、ネット構造は、管腔１０内で展開されるとき、管腔１０の側壁と接触するのに十分長い。代替的には、頂点５６５は、ネット５６０を管腔流経路の中に且つ管腔側壁と接触しないことを保つように端部１０４に取り付けられ得る（図３Ｂ）。
【００４４】
幾つかの実施形態では、頂点は、シース、チューブ又はデリバリ装置のワイヤのような、デリバリ装置に取り付けられることができる。他の実施形態では、頂点は自由であることができる、言い換えると、シース、チューブ又はデリバリ装置のワイヤ又はフィルタのフレームに取り付けられていない。図９Ａに示されるように、近位フィルタ及び遠位フィルタの幾つかの実施形態では、近位フィルタの頂点は自由のままであることが出来る一方、遠位フィルタの頂点はデリバリ装置に取り付けられることができる。幾つかの実施形態では、遠位フィルタの頂点もまた、シースに取り付けられていないままであることができる。近位フィルタの頂点を自由のままにすることを可能にすることは、シースが、最初にフィルタを閉じるためにフィルタの口部の上に、フィルタの残りの部分の上に前進させられる前に、前進させられることを可能にする。これは、近位フィルタの回収中にフィルタ内に捕えられた残屑の押出しを防ぐ又は減少させる。ネット５６０はまた、丸い頂点５６５（図４Ａ）又は円錐台（平らな底部）（図４Ｄ）又はリザーバ（ｒｅｓｅｒｖｏｉｒ）頂点を有し得る。代替的には、ネット５６０は、短すぎて展開されたとき管腔側壁と接触しない別個の頂点５６５であり得る。短いネットはまた、丸い頂点５６５（図４Ａ）、平らな頂点（図４Ｅ）又は鋭い頂点（図４Ｃ）を有し得る。加えて、ネット５６０は、複合頂点５６５（図４Ｆ）を有し得る。
【００４５】
本発明のフィルタ装置の実施形態は、例えば、血栓除去術、関節切除術、ステント術、血管形成術、弁修復又は置換術、ステントグラフト及び心臓又は循環系で行われる他の処置のような処置に遠位保護を提供する方法で使用され得る。本発明のフィルタ装置の実施形態が様々な静脈及び動脈で使われ得ることが理解されるべきである。例示的な処置が図５Ａ−Ｉ及び図６Ａ−Ｅに示される。それぞれの処置において、装置１００は、治療領域７３０に隣接して繋ぎ止められていない（ｕｎ−ｔｅｔｈｅｒｅｄ）方法で位置決めされる。順序図５Ａ−Ｉは、デリバリシース７１０配置図５Ａ、管腔１０内への完全な展開図５Ｂを示す。機械的、電気的エネルギ又は他の適切な方法を使用する従来の治療装置７５０が、管腔壁から望ましくない材料７３２を取り除くために使用される（図５Ｃ）。治療装置７５０の使用を通じて管腔壁から除去される幾つかの残屑７３４は、その後血流の中に塞栓形成され（図５Ｃ）、フィルタ１００によって捕獲される（図５Ｄ）。従来の治療装置７５０は、取り除かれ（図５Ｅ）、その後、再捕獲シース７１０の前進が、回収位置に進められる（図５Ｆ）。
【００４６】
捕えられた残屑７３４はその後、装置を再捕獲する前に、例えば、吸引、治療薬のデリバリ又は浸軟のような方法で除去される。加えて、装置及び捕えられた残屑は、図５Ｇに示されるような装置を再捕獲するために使用される同じシースにより、全体的に再捕獲され且つ除去されることができる。装置１００及び残屑７３４はその後、シース７１０の中に引き込まれ（図５Ｈ）、シースは脈管構造から引き抜かれる（図５Ｉ）。
【００４７】
同様に、繋ぎ止められていない遠位保護としての本発明の追加的な使用が図６Ａ−Ｅに示され、そこでは、血管を広げておくために血管にステント術を行う前にしばしば実行される、バルーン血管形成術の場合のように、バルーンが病変部７３２を拡張させるために使用されるこの処置に関して、バルーンカテーテルが病変部位に進められ、膨張させられ図６Ｂ、プラーク（ｐｌａｑｕｅ）７３２はバルーンによって外側に押され（図６Ｃ）、したがって通常の血流を回復させる。処置によって塞栓形成された任意の粒子状物質７３４はフィルタによって捕えられる（図６Ｄ）。残屑７３４は、その後、前述のようにフィルタ回収の前に除去されることができる、又は捕えられた残屑を伴う装置は一緒に除去されることができる。
【００４８】
繋ぎ止められていないフィルタの実施形態は、例えばフレームの細長部材が付くフィルタの端部の、回収機構１４０、及びフィルタがその場所を保つことを助けるようにフレームのボディに位置することができるアンカを有することができる。幾つかの実施形態では、繋ぎ止められていない遠位保護フィルタ１００は、１２、２４、４８、又は７２時間まで保護を提供するために血管の中に残されることができる。幾つかの実施形態では、繋ぎ止められていないフィルタ１００は、１週間、２週間、３週間、４週間、２か月、３か月、４か月、５か月又は６か月まで保護を提供するために血管の中に残されることができる。幾つかの実施形態では、繋ぎ止められていないフィルタ１００は、術中に、すなわち患者の外科手術の期間中に、又は亜慢性に、すなわち、術後に所定期間の間、血管の中に残されることができる。幾つかの実施形態では、フィルタ１００によって捕えられた残屑の周期的な吸引が、フィルタ１００を通る血流の閉塞を防ぐ又は減らすために実行されることができる。
【００４９】
技術分野で広く実施されている追加的な方法は、前述の処置に付属の繋ぎ止められた遠位保護の使用である（すなわち装置１００は処置の間に繋ぎ止められたままである）。本発明のフィルタ装置の実施形態はまた、図７Ａ−７Ｅに示されるように、この目的のために使用され得る。フィルタ１００の積極的な制御（Ｐｏｓｉｔｉｖｅ  ｃｏｎｔｒｏｌ）は、一体ワイヤ又は装置１００に接続されたスネア（ｓｎａｒｅ）を介して保持される。一体ワイヤ又はスネアと装置１００との間の接続は、処置の間に維持され、幾つかの実施形態では、ガイドワイヤとして使用され得る。図７Ｂに示されるように、装置１００への接続は、場所に近接して脈管構造を治療する（すなわち、病変部７３２を治療する）ための処置を実行する間、維持される。
【００５０】
繋ぎ止められた（ｔｅｔｈｅｒｅｄ）遠位保護方法の例が、図７Ａ−７Ｅに示される。フィルタ装置１００の実施形態は、治療されることになる病変部７３２より遠位で展開され（図７Ａ）、治療が開示され（図７Ｂ）、塞栓形成物質７３４がフィルタ１００に捕えられる（図７Ｃ）。その後、残屑７３４は、フィルタ回収の前に又は、代替的に、前述のようにシースによるフィルタ１００の処理により、除去される。装置１００は、シースの中に戻り（図７Ｄ）管腔１０から除去される（図７Ｅ）。
【００５１】
繋ぎ止められた装置（図７Ａ、８Ａ）はまた、血栓除去術の場合のように、血管１０から塞栓物質７３２を機械的に移動させ且つ除去するように用いられることができる。これは、同じ目的を達成するために多数の装置を必要とせずに残屑を除去し且つ捕える単純な手段を提供する。この方法のために、繋ぎ止められた装置は、病変部位７３２の下流に進められ（図８Ａ）、展開される（図８Ｂ）。繋ぎ止められ、展開されたフィルタ１００は次に、血栓を血管壁からそしてフィルタ１００の中に引き込むように（図８Ｄ）、病変部７３２にわたって引っ張られる（図８Ｃ）。塞栓形成物質７３４はその後、前述の方法により除去され（図８Ｅ）、繋ぎ止められ装置は、シースの中に引き込まれ、管腔から除去される（図８Ｆ）。
【００５２】
幾つかの実施形態では、図９Ａ−９Ｂに示されるように、遠位保護装置又はシステム９００は、２つのフィルタ、近位フィルタ９０２及び遠位フィルタ９０４を含むことができる。他の実施形態では、２より多いフィルタが使用されることができる。幾つかの実施形態では、２つのフィルタは、互いに繋ぎ止められていないが、デリバリ装置に独立して繋ぎ止められることができ、このデリバリ装置は、ガイドワイヤ管腔を持つチューブ若しくはシース又は単純にワイヤであることができる。幾つかの実施形態では、フィルタは、デリバリ装置に、直接繋ぎ止められている、すなわち、直接取り付けられている。幾つかの実施形態では、このような構成は、２つのフィルタの間の距離又は長さが、各フィルタ用の独立したハブを操作することによりユーザによって独立して調整されることを可能にする。加えて、幾つかの実施形態では、フィルタは、ハブの対応する部分を使用してフィルタを回転させることによって血管内で独立して配向されることができる。例えば、ハブの対応する部分を回転させることは、フィルタが同様の方法で回転することを生じさせることができる。一般的に、フィルタの開口は、血液及び、血流の中の、例えば、栓子、プラーク破片、カルシウム沈着及び／又は他のミネラル沈着のような、任意の残屑が、フィルタの開口に及び物質捕獲構造に流れ込むように、血流の方向に向くように配向される。
【００５３】
幾つかの実施形態では、近位フィルタ９０２は、第１のシース９０６に繋ぎ止められる又は取り付けられることができ、遠位フィルタ９０４は、第１のシース９０６と同軸である第２のシース９０８に繋ぎ止められる又は取り付けられることができる。幾つかの実施形態では、第２のシース９０８は、第１のシース９０６の中に配置され、第１のシース９０６の遠位端部を越えて延びる。この２重シース設計は、フィルタが取付けられる対応するシースの操作によって各フィルタが独立して操作されることを可能にする。幾つかの実施形態では、シースは、ねじれを減少させるために編組又はコイル補強されることができる。幾つかの実施形態では、第１及び第２のシースは、マイクロカテーテルであることができる。加えて、２重シース設計は、２つのフィルタの距離が調整されることを可能にし、これは、フィルタが、腕頭動脈及び左総頚動脈に適切に配置されることを可能にする。左総頚動脈と腕頭動脈との間の距離及び解剖学的構造は、患者の間で大きな開きがあるので、壁並置を保つためにフィルタの間の距離を調整することができることは非常に有益である。
【００５４】
加えて、幾つかの実施形態では、第１及び第２のシースは、外側シース９１０の中に配置される。幾つかの実施形態では、外側シース９１０は、取り付けられたフィルタ９０２、９０４の捕獲を生じさせるために第１及び第２のシース９０６、９０８両方の上に進められることができる。幾つかの実施形態では、外側シース９１０は、脈管構造の湾曲部を通り抜けるのに役立つように適合される、湾曲され、偏向する、操向可能な遠位先端部分９１２を有することができる。幾つかの実施形態では、遠位先端部分９１２の湾曲は、約１０から６０度の間、若しくは２０から４５度の間であることができる、又は約１５、２０、２５、３０、３５、４０、若しくは４５度であることができる。
【００５５】
幾つかの実施形態では、停止部９１４がフィルタの間に設けられる。幾つかの実施形態では、停止部９２４は、遠位フィルタ９０４の近位に所定距離で第２のシース９０８に位置し、この遠位フィルタは、第２のシース９０８の遠位端部に又は同遠位端部の近位に位置することができる。停止部９２４は、第１のシース９０６の管腔の中に引っ込められることができない厚いバンド又は他の隆起構造のような、第２のシース９０８の拡張部分であることができる。したがって、停止部９２４は、展開又は除去／回収段階の間に２つのフィルタの間の衝突及び絡み合いを防ぐように、２つのフィルタの間の最小分離距離を提供することができる。
【００５６】
幾つかの実施形態では、シースは、オーバ・ザ・ワイヤ型シースであることができ、ガイドワイヤ９２６の上を進められることができる。他の実施形態では、遠位フィルタ９０４を持つより小さい直径の第２のシース９０８が、第２のシースが、迅速交換型のやり方で交換されることを可能にするように、シースの遠位部分に位置する迅速交換型ガイドワイヤ管腔を有することができる（図示せず）。
【００５７】
幾つかの実施形態では、第２のシース９０８の遠位端部は、血管壁の偶発的な穿刺を防ぐために及びシースを傷つけないように進めるために、非外傷性先端９２８を有することができる。
【００５８】
幾つかの実施形態では、近位フィルタ９０２及び遠位フィルタ９０４は、近位ループ９３６、９３８、遠位ループ９４０、９４２及び２つのループの間の摺動可能な交差ポイント９４４、９４６を有するフレーム９３２、９３４、並びに、２つのループの一方に取り付けられた物質捕獲構造９４８、９５０から作られることができる。幾つかの実施形態では、シースは、ループの内側を通過する。図９Ｃ及び９Ｄに示されるように幾つかの実施形態では、フレームは、８の字形状に方向付けされる１つのワイヤ又は構造要素から形成されることができる。幾つかの実施形態では、摺動可能な交差ポイントは、フレーム近位端部及び遠位端部を接続する軸からオフセット（ｏｆｆｓｅｔ）される。このオフセットは、フィルタ構造の高さを定めることができる。幾つかの実施形態では、シースがループの中に位置するように、１つのワイヤフレームの２つの端部が留め具９５２、９５４によって装置のシースの１つに取り付けられることができる。図９Ｅ及び９Ｆに示されるように幾つかの実施形態では、フレームは、フレーム近位端部及び遠位端部を接続する軸からオフセットされる摺動可能な交差ポイントを伴って８の字構造を形成する、対向するらせんを持つ２つのワイヤ又は構造要素から形成されることができる。
【００５９】
幾つかの実施形態では、近位フィルタ９０２は、装置９００の遠位端部の方を向く開口９５６を持つ配向を有することができるとともに、近位フィルタ構造の後縁（ｔｒａｉｌｉｎｇ  ｅｄｇｅ）又は近位ループ９３６に取り付けられた物質捕獲構造９４８を有することができる一方、遠位フィルタ９０４は、装置９００の近位端部の方を向く開口９５８を持つ配向を有することができるとともに、フィルタ構造の前縁（ｌｅａｄｉｎｇ  ｅｄｇｅ）又は近位ループ９３８に取り付けられた物質捕獲構造９４８を有することができる。幾つかの実施形態では、物質捕獲構造は、各フィルタの近位端部又はループに取り付けられる。
【００６０】
幾つかの実施形態では、物質捕獲構造は、管腔の全断面積にわたる栓子及び残屑保護を維持しながら、細長部材及び交差ポイントの動きに適応するようにひだを付けられる。幾つかの実施形態では、物質捕獲構造は、交差ポイントに隣接して又は交差ポイントの近くに位置する１又は複数のひだを有することができる。幾つかの実施形態では、物質捕獲構造は、交差ポイントでの細長部材の分離の場合の物質捕獲構造の有効範囲を提供するようにひだと同様に機能する交差ポイントにおける重なり部分を有することができる。幾つかの実施形態では、図１０Ａ−１０Ｆに示されるように、交差ポイント１０００は、依然として交差要素が互いに対して摺動することを可能にしながら、交差ポイント１０００を形成するフレームの要素を実質的に並置に又は接触して保つ、交差ループ１００２又は他の拘束機能を含むことができる。ひだのように、交差ループ１００２は、フレーム要素が互いから分離するときフレーム１００６と物質捕獲構造１００８との間に形成することができる隙間１００４を防ぐ又は減少させる。このような隙間は、栓子がフィルタを通って漏れることを可能にし得る。したがって、例えば、ひだの形態の追加の物質捕獲構造を提供することによって、又は交差ポイントにおいてフレーム要素の分離を防ぐ若しくは減少させることによって、隙間１００４を防ぐ若しくは減少させることは、フィルタの捕集効率を向上させることができる。
【００６１】
幾つかの実施形態では、図９Ａに示されるように、デリバリ及び回収工程の間にシース及びフィルタの位置を可視化するために、放射線不透過性マーカ９３０が、シース及び／又はフィルタに設けられることができる。幾つかの実施形態では、放射線不透過性マーカ９３０は、シース及び／又はフィルタに組み込まれた離散バンドであることができる。他の実施形態では、シース及び／又はフィルタは、プラチナのワイヤ又はリボンのような、放射線不透過性のワイヤ又はリボンのコイルを含むことができ、これは、シース及び／又はフィルタの中に組み込まれることができ、シース及び／又はフィルタの全ての部分を放射線不透過性にする。例えば、図１１Ａ及び１１Ｂに示されるように、放射線不透過性ワイヤ又はリボン１１００が、フィルタフレームを形成するように、例えばニチノールから作られた、超弾性形状記憶金属ワイヤ又はフレームコア１１０２の周りに巻かれることができる。同様に、放射線不透過性ワイヤ又はリボン１１００は、可視化が望まれるシースの遠位部分の周りに巻かれることができる。巻かれた放射線不透過性ワイヤ又はリボンはまた、フィルタフレームへのフィルタ膜の取り付けを容易にする不規則な表面を提供することができる。
【００６２】
図１１Ｃ及び１１Ｄは、シース１１１０及び非外傷性の先端１１２０の拡大断面図を示す。シース１１１０は、ガイドワイヤ又は他のシースを受け入れることができる管腔１１１２を有する。同様に、非外傷性の先端１１２０は、ガイドワイヤを受け入れることができる管腔１１２２を有する。
【００６３】
幾つかの実施形態では、物質捕獲構造が取付けられるループのような、物質捕獲構造を持つフィルタの端部は、デリバリ装置に繋ぎ止められる又は取り付けられることができる一方、物質捕獲構造に取り付けられていないループのような、物質捕獲構造の無いフィルタの端部は、自由のままであることができる。幾つかの実施形態では、フィルタの一端のみをデリバリ装置に繋ぎ止めることは、デリバリ装置の配向に対して展開された配向のより大きい柔軟性をフィルタに与え、これは血管内のフィルタのシール又は適合を向上させることができる。幾つかの実施形態では、フィルタの両方の端部はデリバリ装置に繋ぎ止められることができる。幾つかの実施形態では、物質捕獲構造のないフィルタの端部はデリバリ装置に繋ぎ止められることができる。幾つかの実施形態では、２つのフィルタの開口は互いに向き合う。幾つかの実施形態では、２つのフィルタの開口は同じ方向を向き、これは、フィルタの遠位端部又はフィルタの近位端部のいずれかを向くことができる。幾つかの実施形態では、２つのフィルタの開口は互いに離れた方を向く。
【００６４】
図１２Ａ−１２Ｅに示されるように、幾つかの実施形態では、近位ループ１２０６が外側シース１２０２に取り付けられるとともに遠位ループ１２０８が内側シース１２０４に取り付けられるように、各フィルタ１２００は、外側シース１２０２及び内側シース１２０４に取り付けられることができる。この構成は、フィルタ１２００の長手方向の長さ及び圧縮が、シースの近位端部でハブを操作することにより又はシースの近位端部を直接操作することによりユーザによって制御されることを可能にする。フィルタ長さを減少させることによって、図１２Ｂに示されるように、フィルタ１２００の高さが増大されて、フィルタがより大きい直径の血管において完全な又は実質的な壁並置を提供することを可能にする。摺動可能な交差ポイントは、フィルタが、解剖学的構造の形状に動的に適合することを可能にする。いったん所望のフィルタ長さ又は高さが得られると、ハブ部分の中に組み込まれる又はハブ部分と結合されることができるトーイ−ボーストロック（Ｔｏｕｈｙ−Ｂｏｒｓｔ  ｌｏｃｋ）又はラチェットロック等のような、ロック機構１２１０が、フィルタの寸法を固定するために、内側シース１２０４に対して外側シース１２０２をロックするために使用されることができる。ロック機構１２１０はまた、一つのシースの位置を他のシースに対して又はガイドワイヤに対してロックするために、例えば、図２０に示されるハブ及びハブ部分との結合によって、本明細書に記載される他の実施形態で使用されることができる。同様に、フィルタ長さを増加させることによって、図１２Ｃに示されるように、フィルタ１２００の高さが減少されて、フィルタがより小さい直径の血管において完全な又は実質的な壁並置をより容易に提供することを可能にする。図１２Ｄ及び１２Ｅに示されるように、各個別のループのサイズを含む、フィルタの高さは、フィルタの長さを増加又は減少させるように伸縮シースを操作することによってカスタマイズされることができ、ここでフィルタ又は個別のループの高さは、フィルタ又は個別のループの長さに反比例する。
【００６５】
幾つかの実施形態では、例えば円錐であることができる、物質捕獲構造は、平らなフィルタ膜又はフィルムシートから形成されることができる。幾つかの実施形態では、フィルタシートは、例えば円錐のような、所望の形状に切断され且つ折り曲げられることができ、継ぎ目が、熱的に接着される、機械的に一緒に縫われる、又は接着剤を使用して表面で互いに接着されることができる。図１３Ａ−１３Ｃに示されるように幾つかの実施形態では、フィルタシート１３００は、生体適合性糸又は縫合糸による縫合によって、接着結合によって、又は熱接合によって、フィルタフレーム１３０２のループに取り付けられることができる。幾つかの実施形態では、フィルタシート１３００の口部の部分は、取り付け前にフィルタフレーム１３０２のループに折り重ねられることができる１３０４。
【００６６】
幾つかの実施形態では、図１４Ａ−１４Ｂに示されるように、物質捕獲構造１４００は、多数のフィルタセル又は細孔１４０２を含む。フィルタセル又は細孔は、多くの異なる方法で形成され得るとともに多くの異なる形状及びサイズを有し得る。具体的なフィルタのフィルタセル又は細孔の形状、サイズ及び数は、特定のフィルタの使用に基づいて選択され得る。例えば、遠位保護のために構成された本発明のフィルタ装置は、約数十から数百ミクロンから５ミリメートル未満、又は約１０００、９００、８００、７００、６００、５００、４００、３００、２００、１００、９０、８０、７０、６０又は５０ミクロン以下のフィルタセルサイズ又は細孔サイズを有し得る。幾つかの実施形態では、フィルタセルサイズ又は細孔サイズは、所望の濾過レベルに適したセルサイズ又は細孔サイズを持つフィルタ材料を選択することによって形成される。幾つかの実施形態では、フィルタ材料は、ポリマ膜又はフィルム又はメッシュであることができる。ポリマは、ポリウレタン、ポリエチレン、ナイロン等であることができる。ポリマ膜は、約０．５から３ミル（ｍｉｌ）厚の間、又は約０．７５から１．５ミル厚の間、又は約０．５、１．０、１．５、若しくは２．０ミル厚であることができる。薄い膜を使用することは、フィルタ膜が、デリバリカテーテルの中に容易に潰れる又は折り畳まれることを可能にし且つまたカテーテルの中に戻る回収を容易にする。
【００６７】
幾つかの実施形態では、細孔は、膜にレーザトリル加工される。幾つかの実施形態では、フィルタセルはメッシュから形成される。幾つかの実施形態では、膜の上の細孔サイズ、形状、密度、向き、及び分布は、フィルタ膜を通る流量プロフィールを制御するために調整されることができる。例えば、幾つかの実施形態では、細孔の形状は、円、楕円、長円（ｏｖａｌ）又は長方形であることができる。例えば円錐フィルタでは、フィルタ軸と整列される主軸を持つ長円細孔は、長手方向軸に沿って見られるとき、より多くの円形断面開口を提供することができる。加えて、細孔分布は、膜の周辺に又は膜の周辺の近くにより高い細孔密度及び／又はより大きい細孔を提供するように調整されることができ、この膜の周辺は、一般的に留置後に血管壁に隣接する。幾つかの実施形態では、細孔は、膜の周辺に向かって楕円、長円又は長方形であることができる。例えば図１４Ｂに示されるように、血管管腔の周辺に又は近くにあるフィルタ膜の周辺部分１４０４は、血管管腔の中心部分にあるフィルタ膜の中心部分１４０６より大きい細孔密度及び／又は大きい細孔サイズを有することができる。この構成は、フィルタ膜の中心部分に対する増大した残屑保護を提供し、このフィルタ膜の中心部分は、例えば、円錐フィルタの周辺から中心保持領域に偏向されることができる残屑を受ける傾向がある。残屑が中心保持領域を満たすとき、膜の中心部分は、詰まる又は塞がれるようになることができ、これは膜の中心部分を通る血液の流れを減少又は停止させることができる。塞がれた中心部分を補うために、膜の周辺部分は、残屑で満たされたフィルタ膜を通る十分な量の血液を許容するために、より大きい細孔及び／又はより高い細孔密度を有することができる。
【００６８】
幾つかの実施形態では、フィルタ膜は、２５から７５パーセントの間、又は約３３から６６パーセントの間、又は約４０から６０パーセントの間、又は約若しくは少なくとも約３５、４０、４５、５０、５５、５７、６０若しくは６５パーセントの開口領域を有し、ここで開口領域は、細孔によって占められる領域を示す。十分な開口空間は、フィルタ膜を通る及び、神経脈管構造を保護するために使用される場合、脳への、血液の適切な流れを可能にするために重要である。幾つかの実施形態では、造影剤又は放射線不透過性流体が、フィルタ膜が閉塞されているかどうか及び閉塞の程度を決定するために展開されたフィルタの上流に導入されることができる。幾つかの実施形態では、造影剤又は放射線不透過性流体は、遠位フィルタデリバリ装置の管腔及び流体供給ポートを通って供給されることができる。他の実施形態では、造影剤又は放射線不透過性流体は、別個のカテーテルによって供給されることができる。
【００６９】
図１５Ａ及び１５Ｂに示されるように幾つかの実施形態では、塞栓残屑１５００は、フィルタ装置に含まれる吸引ポート１５０４を使用して物質捕獲構造１５０２から吸引されることができる。幾つかの実施形態では、吸引ポート１５０４は、残屑１５００が一般的に流し込まれる物質捕獲構造１５０２の頂点に又は同頂点の近くに位置することができる。幾つかの実施形態では、吸引ポート１５０４は、物質捕獲構造１５０２の頂点に接続されるシースの遠位端部に位置することができる。他の実施形態では、吸引ポート１５０４は、物質捕獲構造１５０２が取付けられるシースの長さに沿って位置することができる。幾つかの実施形態では、１又は複数の吸引ポート１５０４が、残屑を吸引するために使用される。幾つかの実施形態では、別個の吸引カテーテルが、物質捕獲構造１５０２から残屑１５００を吸引するために使用されることができる。
【００７０】
幾つかの実施形態では、物質捕獲構造、フィルタ膜又はメッシュは、ヘパリンのような抗凝固薬で被覆されることができる。幾つかの実施形態では、カテーテル及びテザー及びフィルタフレームのような、血液と接触する装置の他の部分が、抗凝固薬で被覆されることができる。幾つかの実施形態では、フィルタ及び／又はフィルタ膜若しくはメッシュは、薬又は医薬化合物で被覆されることができる。
【００７１】
幾つかの実施形態では、フィルタのフレームは、血管壁に入り込む如何なる追加のアンカリング構造も有さない。全処置中に、デリバリシースへのフィルタへの取り付けと併せて血管壁に対して自己拡張フレームによって加えられる力は、フィルタに十分な安定性を提供し、処置中のフィルタの実質的な移動を防ぐ。大静脈のような静脈血管に対して、動脈血管は、柔軟性に乏しく（ｌｅｓｓ  ｃｏｍｐｌｉａｎｔ）、時間とともに直径のより少ない変化を起こすことができる。これは、比較的侵襲的な固定手段を提供する必要をより小さくする。幾つかの実施形態では、フィルタのフレームは、血管壁を完全に貫通しない１又は複数のアンカを含むことができる。大動脈を離れる分岐動脈では、血管壁を通り抜ける穿刺は、過度な出血又は破裂をもたらすかもしれない。したがって、幾つかの実施形態では、アンカは、血管壁の途中までだけ入り込むようにサイズを決められ且つ設計されることができる。例えば、アンカは、血管壁の厚さより小さい距離、半径方向外側に延びることができ、これは、血管壁の厚さの約０．７５、０．５、又は０．２５倍未満であることができる。他の実施形態では、アンカは、非外傷的な方法で血管壁に係合するように設計される。
【００７２】
図１６に示されるように幾つかの実施形態では、デュアルフィルタ構造は、ユーザが１つのフィルタ９０２を、腕頭動脈２２のような脈管構造の第１の場所に置くことを可能にし、第２のフィルタ９０４は、大動脈１２から分岐する、左総頚動脈２８の一部のような、脈管構造の第２の場所に設置されることができる。幾つかの実施形態では、フィルタはまた、左鎖骨下動脈（図示せず）に設置されることができる。幾つかの実施形態では、目標は、左及び右総頚動脈２６、２８を保護することによって神経脈管構造の保護を提供することである。腕頭動脈２２及び左総頚動脈２８両方におけるフィルタの設置は、脳に血液を供給する動脈に対する栓子及び残屑保護を提供し、ここで栓子及び残屑１６１０は、脳卒中のような、深刻な有害事象をもたらし得る。処置に関連する栓子及び残屑１６１０が神経脈管構造に達することを防ぐことによって、脳卒中のリスクが減らされることができる。
【００７３】
他の実施形態では、フィルタは、左鎖骨下動脈、右及び左冠状動脈、腸間膜動脈及び腎動脈のような、大動脈から分岐する他の血管に設置されることができる。幾つかの実施形態では、フィルタの１又は複数は、Ｄｏｎ  Ｍｉｃｈａｅｌ他の米国特許第６，４８５，５０２号、Ｄｏｎ  Ｍｉｃｈａｅｌの米国特許第７，８０６，９０６号、Ｏｂａｎａ他の米国特許出願公開第２００６／０１００６５８号、及びＢａｒｂｕｔ他の米国特許出願公開第２００８／０００４６８７号に開示された構成にしたがって脈管構造に展開されることができ、これらの出願はそれらの全体が参照により本明細書に援用される。
【００７４】
幾つかの実施形態では、遠位フィルタ９０４は、最初に、左総頚動脈２８のような第２の場所に設置されることができ、その後、近位フィルタ９０２は、腕頭動脈２２のような第１の場所に後退され、次に設置されることができる。幾つかの実施形態では、フィルタデリバリ装置は、例えば、腕頭動脈２２、左総頚動脈２８又は左鎖骨下動脈のような、大動脈弓１６から分岐する動脈の１つを通って、第１の場所及び／又は第２の場所にアクセスすることができる。他の実施形態では、近位フィルタ９０２は、最初に第１の場所に設置されることができ、次に遠位フィルタが、第２の場所に前進され、次に設置されることができる。
【００７５】
図１７Ａ−１７Ｌに示されるように幾つかの実施形態では、フィルタは、次のように患者の血管の中に導入されることができる。図１７Ａ−１７Ｇに示されるように幾つかの実施形態では、ガイドワイヤ９２６が、右上腕又は橈骨動脈のような、末梢動脈の中に導入され、次に右鎖骨下動脈２４の中に進められることができる。右鎖骨下動脈２４から、ガイドワイヤ９２６はさらに、腕頭動脈２２の中に、次に大動脈１２の大動脈弓１６の中に、そして次に、左総頚動脈２８の中に進められることができる。他の実施形態では、フィルタは、大腿動脈を通って左総頚動脈及び腕頭動脈に送達されることができる。
【００７６】
幾つかの実施形態では、ガイドワイヤがより硬いガイドワイヤと交換されることを可能にするように、シースが任意でガイドワイヤの上を進められることができる。より硬いガイドワイヤは、フィルタを運ぶカテーテル又はシースがガイドワイヤの上を進められるとき、より柔軟なガイドワイヤより、左総頚動脈の中の位置を維持することをより良くでき得る。フィルタを運ぶカテーテル又はシースは、第１の柔軟なガイドワイヤより硬い傾向があるので、フィルタを運ぶカテーテル又はシースが大動脈弓に進められて左総頚動脈に向かう屈曲を作ることを強いられるとき、オペレータは、左総頚動脈から第１のガイドワイヤを不注意に外し得る。より硬い第２のガイドワイヤでガイドワイヤの剛性を増加させることは、フィルタカテーテルによって加えられるこのずれ（ｄｉｓｌｏｃａｔｉｏｎ）力に抵抗するのに役立つ。加えて又は代替的に、適切に曲げられた先端部分を持つシースが、脈管構造を通るガイドワイヤ９２６を操向するために使用されることができる。幾つかの実施形態では、シースは、フィルタデリバリ装置９００の外側シース９１０であることができる。他の実施形態では、シースは、フィルタデリバリ装置９００から分離されることができ、ガイドワイヤ９２６が左総頚動脈２８又は他の標的位置の中に設置された後に取り除かれることができ、その後、フィルタデリバリ装置９００によって交換されることができる、
図１７Ｇ‐１７Ｌに示されるように、いったんガイドワイヤ９２６が左総頚動脈２８に設置されると、フィルタデリバリ装置９００が、ガイドワイヤ９２６の上に導入されて左総頚動脈２８に進められることができ、ここでフィルタ展開工程が開始することができる。より具体的には、上述のように取り付けられたフィルタを持つ複数のシースを含む、フィルタデリバリ装置９００は、ガイドワイヤ９２６の上にそして腕頭動脈２２の中に導入されることができ、その後大動脈１２に向かって進められることができる。遠位フィルタ９０４は次に、外側シース９１０によって覆われながら、大動脈弓１６の中に、そして左総頚動脈２８の中に進められることができ、そこで遠位フィルタ９０４は、遠位フィルタ９０４の上で外側シース９１０を後退させることによって展開されることができる。外側シース９１０は、遠位フィルタ９０４の上を後退されるとき、遠位フィルタ９０４は、左総頚動脈壁に係合するように自己拡張することができる。遠位フィルタ９０４は、遠位フィルタ９０４の口部９５８が左総頚動脈２８の中にあるように展開される。次に、近位フィルタ９０２に取り付けられている、第１のシース９０６が、近位フィルタ９０２の口部９５６が腕頭動脈２２にあるように、操作される。この操作は、外側シース９１０の中で行われることができ、遠位フィルタ９０４が展開された後の近位フィルタ９０２の位置に応じて、近位フィルタ９０２に腕頭動脈２２の中に後退又は進められることを求める。
【００７７】
いったん、近位フィルタ９０２が腕頭動脈２２の中の所定位置にされると、近位フィルタ９０２は、近位フィルタ９０２の上で外側シース９１０を後退させることによって腕頭動脈２２の中にあるように、デリバリ装置９００から展開されることができる。外側シース９１０が近位フィルタ９０２の上を後退されるとき、近位フィルタ９０２は、腕頭動脈壁に係合するように自己拡張することができる。図９Ａ及び１７Ｌに示されるように、両方のフィルタは、収容された形態において互いに向き合うとともに展開されたとき大動脈弓を向く開口を有する。このようなデリバリ方法及び装置構成は、大動脈にある遠位保護装置の量を減少させる及び／又は最小化し、それによって、経皮的大動脈弁置換処置のような、実施されることになる主要な外科処置との任意の干渉を減少させる及び／又は最小化する。
【００７８】
停止機能を使用して調整されることができる、２つのフィルタの間の間隔の長さは、近位フィルタが腕頭動脈の正しい位置に後退されるか進められるかどうかに影響を及ぼすことができる。幾つかの実施形態では、フィルタの間の間隔は、遠位フィルタの展開後、近位フィルタが腕頭動脈の中にあるように、比較的長い。幾つかの実施形態では、近位フィルタは、その後、近位フィルタの口部が腕頭動脈の中の所望の位置の中に位置するように、所定の位置に進められる。他の実施形態では、間隔は、遠位フィルタの展開後、近位フィルタが、大動脈弓の中にあるように、比較的短く、これは、近位フィルタがその後、腕頭動脈の中に後退されえることを意味する。
【００７９】
さらに、２つのフィルタの間の間隔は、フィルタが所定位置にあるとき大動脈弓に留まるより、シース又はカテーテルの量及び／又は構成に影響を及ぼすことができる。大動脈弓を通るカテーテル及び他の医療装置の挿入を必要とする経皮的大動脈弁置換処置ＰＡＶＲのような、その次の外科手術との干渉を最小化又は減少するために、シース又はカテーテルによって大動脈管腔の閉塞を最小化又は減少させることが重要であることができる。遠位保護フィルタのシース又はカテーテルとのＰＡＶＲカテーテルの衝突は、フィルタの抜け及び／又は装置の間の絡み合い及び／又はそうでなければ外科手術との干渉をもたらし得る。大動脈管腔の閉塞を最小化又は減少させるシステム及び方法の様々な実施形態が図１８Ａ−１８Ｅに示される。図１８Ａに示されるように幾つかの実施形態では、フィルタ装置９００のシース９０８又はカテーテルによる大動脈管腔１３の閉塞を最小化又は減少させるために、近位フィルタ９０２と遠位フィルタ９０４との間のシース９０８又はカテーテル部分は、２つのフィルタの間のシース９０８又はカテーテルの長さを最小化又は減少させるために、引っ張られたままにされる又は張力下にあることができる。この構成では、シース９０８又はカテーテルは、左総頚動脈２８と腕頭動脈２２との間の、大動脈弓１６の外半径１８００とも称される、大動脈弓１６の上部１８００に当接又は従う傾向がある。幾つかの実施形態では、近位フィルタ９０２のフレーム、遠位フィルタ９０４及び／又は２つのフィルタの間のシース９０８又はカテーテル部分は、ユーザが張力をシース９０８に加えることを可能にすることによって及び／又はシース９０８を外半径１８００に固定するためにアンカ１８１６を使用することによってシース９０８又はカテーテルを大動脈弓１６の上部に固定するのを助ける１又は複数のアンカ又は固定要素１８１６を含むことができる。アンカ１８１６は、アンカ１８１６が外科手術カテーテル１０又は装置と干渉する確率が最小化又は減少されるように、大動脈弓壁に向かって延びるように構成されることができる、又は大動脈弓壁を向くように操作されることができる。幾つかの実施形態では、アンカ１８１６は、アンカが大動脈弓の壁に穴をあけないことを確実にするために比較的短い長さを有し得る。シース９０８がアンカを有する幾つかの実施形態では、アンカ１８１６は、気にフィルタ９０２の交差ポイント及び／又は遠位フィルタ９０４の交差ポイントと反対のシースの部分に位置することができる。幾つかの実施形態では、フィルタ装置９００は、本明細書に記載される場所のいずれかに位置する複数のアンカ１８１６を有し得る。
【００８０】
図１８Ｂ及び１８Ｃに示されるように他の実施形態では、大動脈弓１６のシース９０８又はカテーテルの部分は、左総頚動脈２８から下方に延びることができ、大動脈弓の内壁に接したままになり且つ左総頚動脈２８に近位の大動脈弓１６の外半径１８００から大動脈弓１６の内半径１８０２に横切り、腕頭動脈２２に近位の大動脈弓１６の外半径１８００に向かって上方にそして次に腕頭動脈２２の中に延びる前に、再び大動脈弓の内壁に接したままになる。この構成は、大動脈弓管腔１３の実質的な外に留めながら、シース９０８又はカテーテルに対するＵ形状形態をもたらす。この実施形態では、遠位フィルタ９０４及び／又はシース９０８若しくはカテーテルもまた上述のようにアンカ１８１６を有し得る。
【００８１】
図１８Ａに示された実施形態の変更形態である、図１８Ｄ及び１８Ｅに示される他の実施形態では、偏向機構が、大動脈弓１６の外半径１８００に接して存在する２つのフィルタの間のシース９０８又はカテーテルの部分に組み込まれることができる。例えば、図１８Ｄは、フィルタ装置９００のシース９０８との絡み合いから処置カテーテル１０を偏向させるために、フィルタが位置決めされた後膨張することができるバルーン偏向機構１８２０を示す。処置カテーテル１０が大動脈弓１６の中に挿入されるとき、それは潜在的にシース９０８ともつれるようになる代わりに、バルーン偏向機構１８２０と接触する。図１８Ｅは、偏向機構の様々な実施形態を示し、ここでは偏向シールド１８２２が、バルーン偏向機構１８２０の代わりに使用される。偏向シールド１８２２は、柔軟且つ平らであることができ、遠位フィルタ９０４の送達の間、シース９０８の周りに巻かれることができる。外側シースがさらに後退されるとき、偏向シールド１８２２は、展開されることができるとともに、その平らな形態に広がることができる。
【００８２】
他の実施形態では、２つのフィルタの間のシース９０８の部分は、シース９０８が大動脈弓壁に対して縫合されることを可能にする縫合テザーを有することができる。
【００８３】
主要な手術処置の完了後、遠位保護フィルタ及び任意の捕獲した残屑を除去するプロセスが、図１９Ａ−１９Ｆに示されるように、開始されることができる。例えば、幾つかの実施形態では、外側シース９１０は近位フィルタ９０２及び遠位フィルタ９０４の上に進められることができる。外側シース９１０が第１のシース９０６の上を進められるとき、それは最初に近位フィルタ９０２の近位端部又はループ９３６に接触し、この近位端部又はループは幾つかの実施形態ではまた、物質捕獲構造９４８のための取り付け部として働く。外側シース９１０が近位フィルタ９０２の近位端部又はループ９３６の上を進められるとき、それは近位端部又はループ９３６を折り畳ませ、物質捕獲構造９４８の口部又は開口９５６を閉じさせ、それによって、近位フィルタ９０２の外への残屑１６１０の押し出しを生じさせずに物質捕獲構造９４８の中の残屑１６１０を密封する。上で説明したように、これは、物質捕獲構造９４８の頂点１９１６が第１のシース９０６に取り付けられていないために生じることができる。外側シース９１０はその後、頂点１９１６が、外側シース９１０によって覆われることになる物質捕獲構造９４８の最後の部分になるように、捕われた残屑１６１０を収容する物質捕獲構造９４８の密封された部分の上にさらに進められることができる。幾つかの実施形態では、図１９Ｂ及び１９Ｅに示されるように、近位フィルタ９０２及び／又は遠位フィルタ９０４の遠位ループ９４０、９４２は、口部閉鎖処置の一部の間に遠位ループが交差ポイントの近位にあることができるように、物質捕獲構造の口部の閉鎖の間、近位に動くことができる。口部閉鎖処置が進行するとき、遠位ループは、外側シースの中に完全に引っ込められる前に遠位ループが再び交差ポイントの遠位にあるように、遠位に動くことができる。外側シース９１０はその後、遠位フィルタ９０４の第２のシース９０８の上に進められることができ、そこではそれは最初に遠位フィルタ９０４の近位端部又はループ９３８と接触し、この近位端部又はループは、幾つかの実施形態ではまた、物質捕獲構造９５０のための取り付け部として働く。次に、外側シース９１０は、遠位フィルタ９０４の外への残屑１６１０の押し出しを生じさせずに物質捕獲構造９５０の中に残屑１６１０を捕えるために物質捕獲構造９５０の開口９５８を閉じるように、遠位フィルタ９０４の近位端部又はループ９３８の上を進められることができる。外側シース９１０はその後、物質捕獲構造９５０の密封された部分の上を進められることができ、遠位保護装置及び／又はシステムは患者から除去されることができる。
【００８４】
幾つかの実施形態では、遠位保護装置の外側シースは、ハブを取り外し、その後最初のシースを取り外し、その後新しいより大きい又はより小さいシースを挿入し、そしてその後ハブを再び取り付けることによって、より大きいシース又はより小さいシースと交換されることができる。幾つかの実施形態では、ハブは、単純にねじって外され且つねじって再びつけられることができる。１つのシースをより大きい又はより小さいシースに交換する能力は、フィルタ及びフィルタによって捕えられた残屑を包み込むことができる最も小さいシースを使用するのに役立ち得る。しかし、大量の残屑がフィルタによって捕えられた場合、特にオペレータが、捕えられた残屑の上により小さいシースを進めるのが困難である又は進めることができない場合に、フィルタを回収するためにより大きいシースを使用することが望ましい場合がある。例えば、図２０は、複数の取り外し可能なハブの実施形態を示す。外側シース９１０の操作を制御する外側シースハブ２０００、第１のシース９０６及び第１のシースに取り付けられた近位フィルタを制御する近位フィルタハブ２００２、並びに第２のシース９０８及び第２のシースに取り付けられた遠位フィルタを制御する遠位フィルタハブ２００４がある。これらのハブのそれぞれは取り外し可能であり、外側シースが必要に応じて取り外され且つ交換されることを可能にする。幾つかの実施形態では、ハブは、シースの位置をロックするためにロック可能であることができる。例えば、１つのハブは、取り付けられたシースの位置をロックするために使用されることができる一方、他のシースは、前進又は引っ込められることができ、フィルタの間の距離が操作されることを可能にする。
【００８５】
幾つかの実施形態では、遠位保護フィルタは、医療処置が完了した後、除去されることができる。他の実施形態では、遠位保護フィルタは、フィルタが血管から除去される前の所定の時間の間留置されることができる。幾つかの実施形態では、フィルタは、除去前に１２、２４、４８、又は７２時間までの間留置されることができる。幾つかの実施形態では、詰まったフィルタが、新しいフィルタと交換されることができる。幾つかの実施形態では、フィルタは、フィルタを通る血流の閉塞を防ぐ又は減少させるために、フィルタによって捕えられる残屑の周期的な吸引と合わせて使用されるとき、１週間、２週間、３週間、４週間、２か月、３か月、４か月、５か月又は６か月までの間の保護を提供するために血管に留置されることができる。幾つかの実施形態では、フィルタは、術中に、すなわち、患者の外科手術の間に、又は亜慢性に、すなわち、手術後の所定期間、血管に留置されることができる。
【００８６】
上述の遠位保護フィルタは、経皮的大動脈弁置換（ＰＡＶＲ）、経カテーテル大動脈弁移植（ＴＡＶＩ）、胸部血管内大動脈修復（ＴＥＶＡＲ）、冠動脈バイパス手術（ＣＡＢＧ）、オフポンプ冠動脈バイパス術（ＯＰＣＡＢ）、僧帽弁置換（ＭＶＲ）、大動脈弁置換（ＡＶＲ）、左心室アシスト装置、メイズ手術（ｍａｚｅ  ｐｒｏｃｅｄｕｒｅｓ）、左心室カテーテル法、僧帽弁手術、電気生理学（ＥＰ）アブレーション、心房中隔欠損（ＡＳＤ）の閉鎖、卵円孔開存（ＰＦＯ）の閉鎖、及び左心耳（ＬＡＡ）の閉鎖のような、心臓又は循環器系において実行される任意の医療処置によって発生する残屑を捕えるために使用されることができる。
【００８７】
幾つかの実施形態では、圧力センサ及び／又は血管内超音波（ＩＶＵＳ）トランスデューサが、デリバリシステム及び方法に加えられる又は組み込まれることができる。幾つかの実施形態では、圧力センサは、脈管構造の中の様々な位置で圧力を測定するために使用されることができ、これは血流を決定するために使用されることが出来る一方、血管内超音波（ＩＶＵＳ）トランスデューサは、血管の中の流体の流れを測定する及び／又はイメージングを提供するために使用されることができる。幾つかの実施形態では、圧力センサ及び／又はＩＶＵＳトランスデューサは、その全体が全ての目的のために本明細書に参照により援用される米国特許第８，２７７，３８６号、米国特許第６，１０６，４７６号及び米国特許第６，７８０,１５７号に記載されるように、ガイドワイヤの遠位端部又は遠位部分のように、１又は複数の場所でガイドワイヤに組み込まれることができ、並びに、ガイドワイヤの中間及び近位部分に組み込まれる。圧力センサ及び／又はＩＶＵＳトランスデューサを持つガイドワイヤは、ナビゲーションに役立つように、装置配置部位を可視化するために、及び適切な装置展開を監視及び確実にするために、圧力測定値及び超音波画像を提供する追加の利点とともに、脈管構造を通ってデリバリ装置を誘導するのに役立つように通常のガイドワイヤほとんど同じように使用されることができる。幾つかの実施形態では、ＩＶＵＳトランスデューサは、それが前進及び後退されるとき、画像スライスを生成し、この画像スライスはその後、脈管構造の及び／又は脈管構造の中の装置の３次元再構成を形成するように一緒に集められることができる。幾つかの実施形態では、圧力センサ及び／又はＩＶＵＳトランスデューサを持つガイドワイヤは、他のカテーテルに留められた（ｆａｓｔｅｎｅｄ）圧力センサ及び／又はＩＶＵＳトランスデューサを有するカテーテルに関して以下に記載されるのと同様の方法で、カテーテルに留められることができる。
【００８８】
図２１Ａ−２１Ｃは、ガイドワイヤ２１００の遠位端部に位置する圧力センサ２１０２及びＩＶＵＳトランスデューサ２１０４両方を有するガイドワイヤ２１００の例を示す。幾つかの実施形態では、圧力センサ２１０２は、ダイヤフラムに形成されるとともに遠位先端の近位に配置されることができる、シリコンのような、半導体材料から作られることができる一方、ＩＶＵＳトランスデューサ２１０４は、ガイドワイヤ２１０４の遠位先端に位置することができる。
【００８９】
幾つかの実施形態では、圧力センサ及び／又はＩＶＵＳトランスデューサは、ガイドワイヤと同様の構成でカテーテルの上に位置することができる。例えば、ＩＶＵＳトランスデューサは、カテーテルの遠位先端に位置することができる一方、圧力センサは、カテーテルの遠位部分からカテーテルの中間部分、カテーテルの近位部分への、カテーテルボディに沿った１又は複数の場所でＩＶＵＳトランスデューサの近くに位置することができる。圧力及び／又はイメージングカテーテルは、デリバリ若しくは回収装置又は脈管構造に挿入される任意の他のカテーテルと並列して使用されることができる。幾つかの実施形態では、圧力及び／又はイメージングカテーテルは、例えば、両方のカテーテルをシース若しくはより大きいカテーテルの中に取り囲むことによって又は２つのカテーテルを一緒に溶着させることによって、デリバリ若しくは回収装置又は他のカテーテルに留められることができる。例えば、いずれもＪｕｎｇ他による、全ての目的に関してその全体が参照により本明細書に援用される、米国特許第６，６４５，１５２号及び米国特許第６，４４０，０７７号は、大静脈におけるフィルタ配置を案内するために大静脈フィルタデリバリ装置と並列して一緒に結合される血管内超音波カテーテルを開示する。圧力及び／又はイメージングカテーテルは、圧力及び／又はイメージングガイドワイヤと同じ目的のために使用されることができる。
【００９０】
図２２Ａ−２２Ｄは、例えば、大静脈への大静脈フィルタのような、脈管構造内の場所に装置を送達するために、使用されることができる、カテーテル２２０２と並列して一緒に結合される血管内超音波カテーテル２２００の２つの実施形態を示す。血管内超音波カテーテル２２００は、血管内超音波カテーテル２２００の遠位部分に位置するＩＶＵＳトランスデューサ２２０４を有することができる。ＩＶＵＳトランスデューサ２２０４は、ＩＶＵＳカテーテル２２００を通るガイドワイヤ２２０６又は他の装置の通過を可能にする孔を持つ円形又は円筒形である固体トランスデューサであることができる。図２２Ａ及び２２Ｂに示されるように、ＩＶＵＳカテーテル２２００及びデリバリカテーテル２２０２は、２つのカテーテルを一緒に付着させる又は溶着させることによって、シースなしで並列に一緒に結合されることができる。図２２Ｃ及び２２Ｄは、シース２２０８を使用して一緒に留められた同じＩＶＵＳカテーテル２２００及びデリバリカテーテル２２０２を示す。
【００９１】
図２３Ａ及び２３Ｂに示されるように幾つかの実施形態では、圧力センサ及び／又はＩＶＵＳトランスデューサは、デリバリ若しくは回収カテーテル２３００又は装置自体に組み込まれることができる。例えば、ＩＶＵＳトランスデューサ２３０２は、カテーテル２３００又は装置の遠位先端又は端部に組み込まれることができる。圧力センサ２３０４は、ＩＶＵＳトランスデューサ２３０２の近位のカテーテルシャフトの遠位部分に位置することができる。ワイヤが、ＩＶＵＳトランスデューサ２３０２及び／又は圧力センサ２３０４から、カテーテル２３００の近位端部に位置する１又は複数のコネクタ２３０６に延びることができる。コネクタ２３０６は、ＩＶＵＳトランスデューサ２３０２及び／又は圧力センサ２３０４を、イメージングシステム及び／又は処理システムに接続するために使用されることができる。図示された実施形態では、カテーテル２３００は、大静脈フィルタ２３０８を大静脈に送達するために使用されることができる。カテーテル２３００は、追加的に、大静脈フィルタ２３０８を展開させるために伸縮スリーブ又はプッシュロッドを有することができる、又は代替的に、外側シースは、フィルタを展開させるために後退されることができる。ＩＶＵＳトランスデューサは、位置決め誘導を提供することができるとともに、３次元画像を再構成するために集められることができる複数の画像スライスを生成するようにカテーテル２３００のＩＶＵＳトランスデューサ２３０２を前進及び後退させることによってフィルタの相対位置を決定することができる。
【００９２】
超音波イメージングシステムの使用は、オペレータが、蛍光透視法なしで又は少ない蛍光透視法の使用で装置を送達することを可能にし、それによって、患者への放射線被ばくを減少させる一方、脈管構造のより正確な評価を可能にし、装置の配置を支援し且つ装置の配置が適切であったことの確認を可能にする。イメージングは、フィルタ又は他の装置の展開を支援するために使用されることができる。脈管構造及びインプラント位置は、展開前、展開後及び／又は展開中に画像表示されることができる。イメージングは、脈管構造の中のフィルタ又は装置の位置決めを支援するために使用されることができる。イメージングは、展開位置を画像表示し且つフィルタ又は他の装置の適切なサイズを決定するために使用されることができる。イメージングは、治療期間の推定するのを助けるために使用されることができる。
【００９３】
上述のイメージングシステムは超音波ベースであったが、他のイメージングシステムがその代りに又はそれに加えて使用されることができる。例えば、イメージングシステムは、血管内超音波（ＩＶＵＳ）、前方視ＩＶＵＳ（ＦＩＶＵＳ）、光コヒーレンストモグラフィ（ＯＣＴ）、圧電微細加工超音波トランスデューサ（ＰＭＵＴ）、及びＦＡＣＴベースであることができる。
【００９４】
図２４に示されるように幾つかの実施形態では、（複数の）圧力センサ及びＩＶＵＳトランスデューサは、代替的に又は追加的にデリバリカテーテルに加えられることができる。例えば、圧力センサは、デリバリカテーテルの外側シース及び／又は内側シースの１又は複数の場所に加えられることができる一方、ＩＶＵＳトランスデューサ２４０４は、例えば、トラッキング先端部９２８において及び／又は外側シース９１０の遠位端部において、デリバリカテーテルの遠位端部に加えられることができる。
【００９５】
幾つかの実施形態では、第１の圧力センサ２４００は、遠位フィルタ９０４の遠位にガイドワイヤ９２６又はトラッキング先端部９２８に位置することができる。第１の圧力センサ２４００は、遠位フィルタ９０４の下流の左総頚動脈２８の中の圧力を測定するために使用されることができる。残屑１６１０が遠位フィルタ９０４の中に捕えられるとき、遠位フィルタ９０４の細孔は詰まるようになり、それによって遠位フィルタ９０４を通る血流を妨げる。遠位フィルタ９０４が残屑によって詰まるようになるとき、遠位フィルタ９０４の下流の血圧は低下し得る。したがって、例えば、ピーク収縮期圧又は心拍の過程にわたる平均圧力のような、血圧は、圧力センサ２４００によって継続的にモニタされることができ、血圧における所定の低下が検出されるとき、遠位フィルタ９０４が、詰まり且つ脳への血流を回復させるために除去されるべきであることをオペレータは警告されることができる。
【００９６】
同様に、外側シース９１０が近位フィルタ９０２を展開するために後退されるとき、第２の圧力センサ２４０２が近位フィルタ９０２の下流に位置し且つ、第２の圧力センサ２４０２の位置に応じて、腕頭動脈２２又は右鎖骨下動脈２４における圧力を測定することができるように、第２の圧力センサ２４０２が外側シース９１０の上に位置することができる。近位フィルタ９０２が残屑１６１０によって詰まるようになるとき、近位フィルタ９０２の下流の血圧は低下し得る。したがって、例えば、ピーク収縮期圧又は心拍の過程にわたる平均圧力のような、血圧は、第２の圧力センサ２４０２によって継続的にモニタされることができ、血圧における所定の低下が検出されるとき、オペレータは、近位フィルタ９０２が詰まり且つ脳への血流を回復させるために除去されるべきであることを警告されることができる。
【００９７】
幾つかの実施形態では、少なくとも１つのフィルタが詰まっていると決定されるとき、オペレータは、患者から両方のフィルタを回収及び除去するように指示される。きれいなフィルタを持つ新しい遠位保護装置がその後、患者の中に再び展開されることができる。他の実施形態では、両方のフィルタが詰まっていると決定されるとき、オペレータは、患者から両方のフィルタを回収及び除去するように指示され、きれいなフィルタを持つ新しい遠位保護装置がその後、患者の中に再び展開されることができる。
【００９８】
幾つかの実施形態では、第３の圧力センサ２４０３が、２つのフィルタが展開されるとき第３の圧力センサ２４０３が大動脈弓の中に位置するように、近位フィルタ９０２と遠位フィルタ９０４との間の内側シース９０８に位置することができる。幾つかの実施形態では、追加の圧力センサ２４０５、２４０６が、各フィルタを渡る圧力低下を決定するために、フィルタへの開口のまさに上流の内側シースに位置することができる。幾つかの実施形態では、各フィルタを渡る圧力低下は、大動脈弓で測定された圧力からフィルタの下流で測定された圧力を差し引くことによって推定されることができる。幾つかの実施形態では、追加の圧力センサ２４０７、２４０８が、各フィルタの中にある内側シースの部分に位置することができる。幾つかの実施形態では、シースの中に圧力センサを配置する又は一体化する代わりに、内側及び／又は外側シースは、複数の圧力センサを有するガイドワイヤが上述のような様々な場所に沿って圧力測定することを可能にする圧力測定ポートを有することができる。圧力測定ポートは、シースの外側からシースの中に配置されるガイドワイヤへの流体連通を提供することができる。
【００９９】
幾つかの実施形態では、図２５Ａ−２５Ｃに示されるように、外側シース９１０は、迅速交換構成のガイドワイヤ９２６を受け入れるための迅速交換ガイドワイヤ管腔２５００を有することができる。迅速交換ガイドワイヤ管腔２５００は、主外側シース管腔と並列に、外側シース９１０の遠位部分に沿って位置することができる。幾つかの実施形態では、迅速交換ガイドワイヤ管腔２５００の長さは、約６ｃｍより大きい。他の実施形態では、迅速交換ガイドワイヤ管腔２５００の長さは、約６ｃｍより小さい。幾つかの実施形態では、迅速交換ガイドワイヤ管腔２５００の遠位端部は、外側シース９１０の遠位端部に位置するＩＶＵＳトランスデューサ２４０４の近位に位置する。幾つかの実施形態では、特に、迅速交換ガイドワイヤ管腔を有する実施形態では、遠位フィルタ９０４が取付けられる内側シースは、代わりにワイヤ、ガイドワイヤ又は管腔のない細長部材であることができる。内側シースをワイヤと交換することは、遠位保護装置の断面（ｐｒｏｆｉｌｅ）が減少されることを可能にし、それによって、低侵襲挿入を容易にするとともに大動脈弓の中で障害を生じさせる可能性を減少させる。迅速交換ガイドワイヤ管腔２５００を使用することは、外側シース９１０がフィルタを展開するために後退されるとき、ガイドワイヤ９２６の遠位部分が、血液に直接さらされることを可能にする。これは、内側及び／又は外側シースへの代わりにガイドワイヤ９２６への複数の圧力センサの設置を可能にする。ガイドワイヤ９２６への圧力センサの設置は、上述の全ての位置に対応することができ、各フィルタを渡る圧力が決定されることを可能にする。幾つかの実施形態では、ガイドワイヤ９２６は、展開されたフィルタに対する所望の場所に圧力センサを位置合わせするための位置合わせ機能を有することができる。例えば、ガイドワイヤは、外側シース、内側シース、及び／又はトラッキング先端部の対応する放射線不透過性マーカ及び／又はエコー源性（ｅｃｈｏｇｅｎｉｃ）マーカと位置合わせされることができる放射線不透過性マーカ及び／又はエコー源性マーカを有することができる。幾つかの実施形態では、迅速交換ガイドワイヤ管腔は、フィルタが装填された形態にあるとき、外側シースの遠位端部を超えて延びる内側シースの遠位部分に位置することができる。加えて、遠位保護フィルタの１又は複数が、詰まったことが決定される場合、迅速交換ガイドワイヤ管腔の使用は、詰まった遠位保護装置の、新しい、詰まっていない遠位保護装置との交換を容易にする。幾つかの実施形態では、ガイドワイヤが血管壁に対するフィルタの並置と干渉するリスクを減少させるために、フィルタが展開される前又は後に、ガイドワイヤは、遠位保護フィルタの近位に後退されることができる。他の実施形態では、ガイドワイヤは、留置されることができ、フィルタは、依然として拡張することができるとともに、ガイドワイヤを血管壁に押し付けることによって、壁並置を達成することができる。
【０１００】
ＩＶＵＳトランスデューサ２４０４は、例えば、左総頚動脈及び腕頭動脈の展開位置への脈管構造を通るデリバリカテーテルの画像ベースのナビゲーションを提供するために使用されることができる。加えて、ＩＶＵＳトランスデューサ２４０４は、目標位置の中のフィルタの展開を可視化するために及び目標位置の中の各フィルタの完全な壁並置を含む適切な展開を確認するために使用されることができる。上述のように、ＩＶＵＳトランスデューサ２４０４は、外側シース９１０の遠位端部に加えられることができる。外側シース９１０がフィルタ９０２、９０４を展開させるために後退されるとき、ＩＶＵＳトランスデューサ２４０４は、フィルタ９０２、９０４が展開されるとき、フィルタ９０２、９０４を画像化するために使用されることができ、オペレータが各フィルタの適切な展開を確認することを可能にする。画像が不適切な展開を明らかにする場合、フィルタは、外側シースをフィルタの上に再び進ませることによって外側シースの中に再び回収されることができ、その後フィルタを再展開する。
【０１０１】
ＩＶＵＳイメージングを使用してフィルタの可視化を向上させるために、エコー源性材料及び／又は特性（ｆｅａｔｕｒｅｓ）が、フィルタフレーム及び／又は物質捕獲構造を含むフィルタの様々な構成要素に組み込まれることができる。エコー源性材料及び／又は特性は、以下により完全に記載されるように、フィルタ構成要素の全体にわたって又はフィルタの別々の場所に組み込まれることができる。
【０１０２】
フィルタは、カテーテル及び針に見られる比較的単純な設計と対照的により複雑な構造である。フィルタのようなより複雑な装置では、幾つかの医療処置の間に、装置の中の明確な位置を特定する必要がある。加えて、（展開、回収及びその様々な中間段階を決定するために使用されるとき）互いに対する装置内の構成要素を含む装置の配向、並びに周囲管腔又は血管に対する全体のフィルタ配向を決定するためにも有利であり得る。先端又は全体の長さの始点若しくは終点の位置を使用する従来の技法とは対照的に、フィルタ位置、配向又は相対的な配置情報のようなより複雑な構造は、特定の利益をもたらし得る。幾つかの場合、全体のフィルタ又はフィルタ構成要素又は部分の外観、部分又は特性は、生理学的な環境との関連でフィルタに関するより有用な決定を可能にする。１つの態様では、血管内超音波（ＩＶＵＳ）カテーテル及び処理システム又は信号処理アルゴリズムが、フィルタサイズ選択、フィルタ配置のための案内、フィルタ留置ステップ、サイズ選択及び生理学的な環境下で密着が適切であることを確認するためのステップの前、同ステップ中及び／又は同ステップの後のＩＶＵＳを使用するフィルタ及び／又は血管測定を確認するために、並びに、適切なサイズ選択、配置、（存在する場合）固定要素の係合又は係合の程度、血餅負荷（ｃｌｏｔ  ｂｕｒｄｅｎ）、患者の中での配向及び／又は展開或いは医師医療記録の確認及び／又は文書化のために使用される。
【０１０３】
１つの態様では、本発明の実施形態は、複雑な形状を有する、又は、収容された形態から、管腔、血管又は中空器官での適切な使用のために特定の配向及び配置基準も有し得る展開された形態に動くように構成される医療用装置に向けられる。１つのこのような装置は、ＩＶＣフィルタである。本発明の態様は、本明細書に記載された技術のいずれかを単体で又は任意の組み合わせで使用する、エコー源性材料による向上した超音波可視性を有する、人体の中で用いられるこのような装置を含む。
【０１０４】
１つの態様では、フィルタのエコー輝度を増大させるために様々な代替フィルタ設計がここに記載される。高められたエコー源性特性を持つフィルタは、（ａ）構成要素のエコー源性特性を高めるためのフィルタの１又は複数の構成要素に対する変更；（ｂ）血管内超音波システムでの使用のために、十分な数の並びに適切なサイズ、形状、配向及びパターンにスケーリングされた構成要素表面への窪みの形成；（ｃ）フィルタ表面に形成された、配置された又は結合された突起；（ｄ）例えば、化学的方法、レーザ又はビードブラスティング技法を使用して、フィルタの１又は複数の表面を粗面化すること；及び（ｅ）フィルタの１又は複数の特定の領域のエコー源性を向上させるために１又は複数の音響反射特性を局所的に変更又は適合するように空洞、空隙又はポケットを導入するためのフィルタの製造技法の１又は複数を変更すること；の１つ又は２つ以上を含み得る。製造変更の１つの例は、チューブ又は被覆のセグメントの間にギャップを導入することであり、それによってギャップはエコー源性強化を提供する。加えて、空洞、空隙、ポケット、窪み、ギャップ等は、空のままにされ得る、又は、任意選択で、本明細書に記載されるエコー源性材料のいずれかで、充填され得る、部分的に充填され得る又は裏打ちされ得る。
【０１０５】
１つの態様では、近位端部、遠位端部、末端近位端部、末端遠位端部、回収機構、回収機構の非外傷性先端、中間−ストラット（ｍｉｄ−ｓｔｒｕｔ）領域、フィルタの他の部分に帰属する少なくとも１つの配向を有する脚又はストラット部分、固定要素又は回収機構の場所のしるし、特定の固定要素を伴う使用において、マーカが、血管又は中空期間の管腔又は部分の壁に固定要素が完全に展開されていることを示す場所にあるように（すなわち、固定要素が完全に係合されるときマーカは管腔壁に接触している又はほとんどそうなっている。このようなものとして、マーカが壁に接して見えることは適切な展開を示し、離間している又は見えないことは、それぞれ、完全に係合されていない又は過剰な侵入を示す）ように選択されたフィルタの部分の場所、遠位先端の部分及び／又は細長い部分の少なくとも１つ若しくは部分の又は同１つ若しくは部分に関連する向上したエコー源性特性を有するフィルタの実施形態が提供される。上述の方法はまた、本明細に記載された代替又は他の技法に適用され得る。
【０１０６】
更なる実施形態では、腔内フィルタの部分、構成要素又は面が、本明細書に記載された又は技法のいずれかにしたがって製造されたエコー源性材料の１又は複数を含むコーティング又はスリーブを適用することによって、又は本明細書に記載されるようにエコー源性品質を高める属性のいずれかを有することによって、強化エコー源性特性を有し得る。幾つかの態様では、強化エコー源性特性は、フィルタでの特的の構成、場所、配向又はパターンでの、１又は複数のエコー源性材料又はエコー源性マーカの、フィルタの構成要素又は部分のへの組み込み、同構成要素又は部分の上への適用又は同構成要素又は部分の中への適用によって、提供される。
【０１０７】
強化エコー源性マーカ又は位置は、例えば、ＩＶＵＳシステム又は超音波イメージングモダリティへの、例えば、回収機構、末端近位端部、末端遠位端部、固定要素の場所又は特定のフィルタ設計の特定の外観を識別する他のしるしの場所のような、フィルタの特定の場所のしるし又は特徴の識別を容易にするためのように、個別の又は組み合わせた使用のために考え出され得るとともに設置され得る加えて又は代替的に、２以上の強化エコー源性マーカ又は部分が、例えば、様々な工程にしたがって及び体の血管内又は管腔内のフィルタのために使用される、血管内の配向、展開又は展開シーケンスの一部の確認、最終的な配置の確認、移動又は移動の欠如の確認、回収又は回収シーケンスの進行の確認等のような、フィルタに関する追加の情報を提供するために組み合わせて使用され得る。他の特定の実施形態では、本明細書に記載されたエコー源性強化フィルタの実施形態を伴うＩＶＵＳ技術の使用はまた、フィルタの展開若しくは回収中又は同展開若しくは回収中後に、エコー源性マーカによって示される特定の装置位置において血管の直径を測定するために使用され得る。
【０１０８】
さらなる態様では、本明細書に記載されたエコー源性強化フィルタの実施形態を伴うＩＶＵＳ技術の使用はまた、不適切な拡張、適切な拡張、フィルタ膨張、フィルタ−血管係合及び係合の程度、支柱／脚部／アンカ位置並びにフィルタと周囲の生理学的な環境との間相互作用に関連する他の属性を決定、検出又は示すために使用され得る。
【０１０９】
さらに、エコー源性マーカは、ＩＶＵＳトランスデューサのありそうな若しくは計画された位置並びに／又はイメージングシステムによって使用される音響エネルギのありそうな経路に対して位置決めされる。例として、ＩＶＵＳトランスデューサが前方視である場合、フィルタのこれらの前方視面が、強化エコー源性面を備える。他の例では、ＩＶＵＳトランスデューサが、円筒形であり且つフィルタの内側部分を通って位置決めされる場合、フィルタは、例えば、このような位置にあるトランスデューサ等からの音響エネルギを受ける内側表面又は部分に強化エコー源性面を備える。他の修正形態は、使用されるＩＶＵＳトランスデューサの特定の様式、フィルタに対する位置並びにフィルタに組み込まれるエコー源性機能の配置及び種類に基づいて、本発明の範囲内にある。言い換えると、本明細書に記載されるフィルタのエコー源性強化は、ＩＶＵＳセンサタイプ、取得（ａｃｑｕｉｓｉｔｉｏｎ）モード及びフィルタに対する位置に関して、選択され、設計され、及びフィルタに配置される。フィルタを伴うＩＶＵＳの使用の追加的な詳細は、米国特許第６，６４５,１５２号及び米国特許第６，４４０，０７７号にさらに記載され、これらの両方は全ての目的に対してそれらの全体が参照により本明細書に援用される。
【０１１０】
１つの態様では、このような増高されたエコー源性マーカの配置及び特徴は、単独で又は強化されたエコー源性フィルタからの戻りを含む超音波の戻りの処理のために構成されたコンピュータシステムに認識できることと組み合わせて、超音波出力を見る人間のユーザが識別できる。エコー源性材料の形成及び使用の追加の態様は、以下の米国特許公報及び米国特許出願公開公報が参照され、これらのそれぞれは、その全体が参照により本明細書に援用される：米国特許出願公開第２０１０／０１３０９６３号、米国特許出願公開第２００４／０２３０１１９号、米国特許第５，３２７，８９１号、米国特許第５，９２１，９３３号、米国特許第５，０８１，９９７号、米国特許第５，２８９，８３１号、米国特許第５，２０１，３１４号、米国特許第４，２７６，８８５号、米国特許第４，５７２，２０３号、米国特許第４，７１８，４３３号、米国特許第４，４４２，８４３号、米国特許第４，４０１，１２４号、米国特許第４，２６５，２５１号、米国特許第４，４６６，４４２号、及び米国特許第４，７１８，４３３号。
【０１１１】
様算な代替では、エコー源性材料が、幾つかの異なる技術のいずれかでフィルタの一部又はフィルタの構成要素のいずれかに塗布され（ａｐｐｌｉｅｄ）得る。
【０１１２】
１つの例では、エコー源性成分又は添加物が、フィルタの一部又はフィルタの構成要素に塗布される選択コーティングとしてフィルタに又はフィルタの一部に塗布又は組み込まれる。
【０１１３】
１つの例では、エコー源性成分又は添加物が、フィルタの構成要素の一部の上に配置されるように又は同一部に結合されるように形成されるモールド（ｍｏｌｄ）として、フィルタに又はフィルタの一部に塗布又は組み込まれる。
【０１１４】
１つの例では、エコー源性成分又は添加物が、フィルタの一部又はフィルタの構成要素を覆うように連続セグメントに形成される押出スリーブとしてフィルタに又はフィルタの一部に塗布又は組み込まれる。１つの実施形態では、内側管状部材又は外側スリーブ又はコーティングの１つが、強化エコー源性を有する、本発明による材料で作られることができ、内側管状部材の他は、例えば、ポリウレタン又はシリコーンゴムのような生体適合性ポリマで作られる。
【０１１５】
１つの例では、エコー源性成分又は添加物が、本明細書に記載される１又は複数のエコー源性材料若しくは改良から作られる又は同エコー源性材料若しくは改良を含んでいる又は同エコー源性材料若しくは改良を組み込んでいる、化合物又は、内側チューブ及び外側チューブ又はチューブの一方若しくは両方を持つスリーブを有する２層構造としてフィルタに又はフィルタの一部に塗布又は組み込まれる。加えて又は代替的に、本明細書に記載された１又は両方のスリーブ、チューブは、例えば、チューブ構造の場合、チューブの側壁の中にコイル構造を有するように、特定の形状又はジオメトリのエコー源性マーカ又は構成要素を含む又は封入し得る。１つの態様では、コイル構造はエコー源性材料から作られ、巻き（ｗｉｎｄｉｎｇｓ）が本明細書に記載されたフィルタの態様のいずれかで有用である方法で提供される。コイルは、特定のサイズ若しくはサイズの変動、ピッチ若しくはピッチの変動又は決定されるフィルタ特性のエコー識別可能な側面（ａｓｐｅｃｔ）を提供するのに有益な他の属性を有し得る。１つの特定の実施形態では、コイル又は他のエコー源性材料の寸法は、イメージング超音波システムで使用される分解能又は処理アルゴリズムに関して、音響反射を増加させるように選択される。
【０１１６】
１つの例では、エコー源性成分又は添加物が、本明細書に記載される１又は複数のエコー源性材料若しくは改良を有する１又は複数の編組（ｂｒａｉｄ）から作られる又は同編組を含んでいる又は同編組を組み込んでいる、化合物又は、内側チューブ及び外側チューブ又はチューブの一方若しくは両方を持つスリーブを有する２層構造に組み込まれる編組構造としてフィルタに又はフィルタの一部に加えられる又は組み込まれる。加えて又は代替的に、本明細書に記載された１又は両方のスリーブ、チューブは、例えば、チューブ構造の場合、チューブの側壁の中に編組構造を有するように、特定の形状又はジオメトリのエコー源性マーカ又は構成要素の中に形成された編組を含む又は封入し得る。１つの態様では、編組構造はエコー源性材料から作られ、編組は、チューブ若しくはスリーブの周りに又はフィルタの一部若しくはフィルタの構成要素の上に直接巻かれるとき、小さい直径である。編組材料の巻きパターン及び間隔は、本明細書に記載されたフィルタの態様のいずれかで有用である方法で提供される。編組は、特定の編組ストランド組成（ｂｒａｉｄ  ｓｔｒａｎｄ  ｃｏｍｐｏｓｉｔｉｏｎ）、構造、サイズ若しくはサイズの変動、ピッチ若しくはピッチの変動又は決定されるフィルタ特性のエコー識別可能な側面を提供するのに有益な他の属性を有し得る。編組のストランドの１又は複数は、エコー源性材料から形成され得る。ストランドの１又は複数は、改良された放射線不透過性特性を有する材料から形成され得る。ストランドの１又は複数は、エコー源性及び放射線不透過性特性両方を有する材料から形成され得る。編組のストランドは、上述のストランド特性のいずれかを使用して組み合わされ得る。
【０１１７】
他の代替では、さらに他の例において、エコー源性成分又は添加物が、近接して詰め込まれた又は離間された配置のいずれかでフィルタの一部又は構成要素に沿って互いに隣接して配置された一連の短いセグメントとしてフィルタ又はフィルタの一部に塗布又は組み込まれる。他の実施形態では、隣接するセグメントの間の間隔又は間隙（ｖｏｉｄｓ）はまた、間隔又は間隙によって導入される材料の違いを使用してフィルタのエコー源性能力を高めるように、調整又は選択され得る。
【０１１８】
他の代替では、さらに他の例において、エコー源性成分又は添加物が、熱収縮動作に適しているチューブ又はスリーブとしてフィルタ又はフィルタの一部につけられる又は組み込まれる。１つの態様では、フィルタの一部の上に１又は複数のスリーブをスライドさせ、次にフィルタの一部の周りにセグメントを収縮させるように熱を加える製造又は組立ステップがある。特に、様々な実施形態は、本明細書に記載された向上したエコー源性特性を有するこのようなしまりばめチューブの特定の配置を提供する。スリーブ、セグメント又はチューブは、例えば、ｅＰＴＦＥ、ＰＴＦｅ、ＰＥＴ、ＰＶＤＦ、ＰＦＡ、ＦＥＰ及び他の適切なポリマのような適切な材料に組み込まれるエコー源性変更若しくは要素から提供され得る又は同エコー源性変更若しくは要素を有し得ることが理解されるべきである。さらに、これらの及び他の材料は、チューブ以外の形状に形成され得るが、本明細書に記載されたエコー源性強化技術にしたがってつけられることになる編組、ライン、ファイバ及びフィラメントの形態も取り得る。幾つかの実施形態では、フィルタにつけられるチューブ又はセグメントは、同じ又は異なる組成並びに同じ幅又は異なる幅を有し得る。１つの態様では、複数のバンドの幅又は厚さが、フィルタについてのコード又は情報を提供するために使用される。異なる幅のエコー源性バンドの使用は、抵抗器の異なるサイズ及びカラーリングが抵抗値を示すためにあるパターンで配置される方法と同様のマーキング技法である。
【０１１９】
他の代替では、さらに他の例において、エコー源性成分又は添加物が、フィルタの一部又はフィルタの構成要素の上に押し出されることによって、フィルタ又はフィルタの一部につけられる又は組み込まれる。
【０１２０】
他の代替では、さらに他の例において、エコー源性成分又は添加物が、適切な接着剤又は接合技術を使用してエコー源性材料又は成分をフィルタに接合することによって、フィルタ又はフィルタの一部につけられる又は組み込まれる。
【０１２１】
上述の構成のいずれかにおいて、フィルタの一部又は構成要素は、窪み、溝、ポケット、空隙を用いて改修され得る。他の態様では、フィルタのその部分でのエコー源性特性を選択的に向上又は提供するための、エコー源性材料の付加に役立つ又は助長するための、１又は複数の完全な又は部分的な周辺凹部、リング、表面回折格子又は他の表面特徴部があり得る。更なる態様では、上述の表面回収のいずれかがまた、フィルタの一部又は任意の組み合わせで上記のいずれかを一意に識別するために使用され得る。
【０１２２】
上述のエコー源性マーカ又は属性のいずれかのさらなる態様では、スリーブ又はコーティング又は構成要素の厚さが、滑らかな外側表面を提供するために、その近位及び遠位端部において、減少し得る。さらに追加の代替として、コーティング、マーカ又は他のエコー源性材料が、フィルタ構成要素又はフィルタ装置の近位端部又は遠位端部又は両方の近くに又は近接して延び得る。
【０１２３】
さらに他の代替又は組み合わせでは、幾つかのフィルタ設計の実施形態は、例えば、エコー源性材料を組み込むための材料選択のように、エコー源性を強化するためにフィルタンの構成要素を変更する。エコー源性材料の例は、パラジウム、パラジウム−イリジウム又はエコー源性材料の他の合金を含む。
【０１２４】
幾つかの実施形態では、エコー源性マイクロバブルが、フィルタのその点の音響反射を高めるためにフィルタの一部に設けられる。エコー源性マイクロバブルは、任意の簡便な手段によって準備され得るとともに、その構成要素若しくは一部の中に又はコーティング若しくはスリーブ若しくはシェル若しくは他の移送手段によって導入され得る又は押出成形品の伸長、成形鋳造又は他の技法に先立ってポリマ又は他の適切な主剤と混合され得る。エコー源性マイクロバブルは、必要に応じて、構成要素又は要素の中に事前に準備され得る又は準備され得る。マイクロバブルの事前準備又は使用の態様は、米国特許第５，３２７，８９１号、第４，２６５，２５１号、第４，４４２，８４３号、第４，４６６，４４２号、第４，２７６，８８５号、第４，５７２，２０３号、第４，７１８，４３３号及び第４，４４２，８４３号に記載されている。例として、エコー源性マイクロバブルは、その後に冷却及びガスの砂糖結晶への取り込みが続く、砂糖の結晶化温度より高い温度で粘性糖溶液の中にガス、例えば二酸化炭素を導入によって、得られることができる。マイクロバブルはまた、ゼラチンの中に形成され且つ装置の構成要素又は一部の中に導入されることができる。マイクロバブルはまた、界面活性剤、粘性液及びガスバブル又はガス形成化合物、例えば、炭酸塩をマイクロバブルが形成される条件下で混合することによって作られることができる。
【０１２５】
更なる代替では、その後、本明細書に記載されるフィルタ装置の一部を形成するために、同装置に加えられるため又は別の方法で同装置に組み込まれるために使用されるポリマへの（放射線不透過性及びエコー源性）デュアルモード材料（ｄｕａｌ  ｍｏｄｅ  ｍａｔｅｒｉａｌｓ）の組み込みもある。これらの高分子化合物の幾つかは、エージング及び貯蔵寿命を向上させるとともに他の有益な属性を有するように、作られ得る。１つの態様では、フィルタ又はその一部は、蛍光透視及び超音波イメージング両方を使用して選択されたセグメントを可視にする１又は複数のポリマ材料と配合される可視性材料を使用して構成される１又は複数の選択されたセグメントを含む。１つの具体的な例では、可視材料は、ポリマ材料の中に分散されたタングステン及び／又はタングステンカーバイド粒子の形態を取り得る。１つの具体的な態様では、放射線不透過性及びエコー源性材料は、ベースポリマ材料の中に分散されたタングステン及び／又はタングステンカーバイド粒子を含む。
【０１２６】
１つの実施形態では、フィルタの構成要素の一部又は同構成要素は、放射線不透過性及びエコー源性材料を含む内側層を含む又は同内側層を有するように変更されている。１つの代替では、放射線不透過性及びエコー源性材料は、ポリエーテルブロックアミドを含むベースポリマ材料（すなわち、第１のポリマ材料）の中に分散された粒子；及び追加のポリマ材料（すなわち、第２のポリマ材料）を含む外側層を含む。ある実施形態では、追加のポリマ材料は、熱可塑性エラストマである。任意選択で、追加のポリマ材料は、ベースポリマ材料より加水分解及び／又は酸化に耐性がある。
【０１２７】
更なる態様では、フィルタに加えられる構成要素、部分又は要素が、音響的に画像化されることになるエコー源性フィルタの一部であるエコー源性ボディ部材と見なされ得る。エコー源性ボディ部材は、患者の中又は患者の外部のいずれかで使用される超音波イメージング機器の使用によってのように、患者においてエコー源性的（ｅｃｈｏｇｅｎｉｃａｌｌｙ）に画像形成可能である複合材料で少なくとも部分的に構成される。１つの態様では、複合材料は、マトリックス材に埋め込まれた分離音響反射粒子を持つマトリックス材を含む。１つの態様では、マトリックス材は、生体適合性プラスチックである。適切なプラスチックの例は、ウレタン、エチレン、シリコーン、ポリエチレン、四フッ化エチレンを含み得る。１つの態様では、マトリックスは、具体的な用途に応じて、様々な形状に成形及び／又は押し出しされ得る、成形可能な、柔軟な材料である。音響反射粒子は、マトリックス材料に埋め込まれる。粒子は、例として、固体又は音響反射媒質で満たされた小さいガラス粒子のような、硬い材料で作られる。１つの態様では、ガラス粒子は、ガラス微小球を形成する概して球形を有する。約５ミクロンの外側直径を持つガラス微小球が１つの許容可能なサイズである。他のサイズの粒子が利用されることができ、例えば、１から５０ミクロン以上の間に及ぶ。使用しているイメージング超音波システムの分解能サイズより下のサイズの粒子は、イメージング超音波システムにより識別可能な特徴をもたらす音波に対する十分なサイズ及び配向のパターンに配置され得る。さらに、粒子は、必ずしも球形である必要はない、又は部分的に球形であり得る。またさらに、粒子の形状は、マトリックス材の音響特性を変更するために、粒子の異なる形状、粒子のサイズ及びそれらの組み合わせを提供することによって音響反射を高めるように変更されることができる。例として、粒子は、「秩序配列（Ｏｒｄｅｒｅｄ  ａｒｒａｙ）」に成形され得る。「秩序配列」は、球、コロイド、ビーズ、卵型、正方形、長方形、繊維、ワイヤ、ロッド、シェル、薄膜、又は平らな表面の形でパターン化され得る又はパターン化され得ない個別の部分からのマクロ構造の形態を取ることができる。対照的に、「秩序のない配列（ｄｉｓｏｒｄｅｒｅｄ  ａｒｒａｙ）」は実質的なマクロ構造を欠いている。
【０１２８】
例として、エコー源性マーカが、個別にはイメージング超音波システムの分解能未満である粒子を含み得る。エコー源性マーカは、サインを作るように、組み合わせた、１Ｄ、２Ｄ若しくは３Ｄパターンの、図形配列の、又は機械可読の組み合わせの、これらのイメージング超音波分解能未満粒子の組み合わせである。粒子の組み合わせの特定の特性に基づいて、エコー源性マーカ又はエコー源性マーカの組み合わせからの音響反射（ａｃｏｕｓｔｉｃ  ｒｅｔｕｒｎ）は、ユーザによる解釈のためにディスプレイで視覚的に知覚可能であり得る又は、検出され得るとともに、１若しくは複数の音響反射又はイメージング超音波処理システム内のスペクトル処理アルゴリズムによって解釈され得る。
【０１２９】
１つの態様では、エコー源性材料は、ナノメータサイズの音波反射材料、例えば、酸化鉄、酸化チタン又は酸化亜鉛、の粒子を生体適合性ポリマに組み込むことによって、作られる。製造の１つの方法では、音響反射粒子が、ポリエーテルアミド、ポリウレタン若しくはエポキシ、又はポリ塩化ビニルのような粉末の熱可塑性又は熱硬化性材料と混合され、その後、上述のタイプの医療装置のコーティングとして加えられ得る又は本明細書に記載された医療装置の構造的な構成要素として組み込まれ得る増加した音波反射率の材料を提供するように混合物の熱処理が続く。
【０１３０】
更なる実施形態及び態様では、エコー源性強化をもたらすために含まれる粒子は、音響的に、幾何学的に調整されたナノ構造、マイクロ構造又はマクロ構造を提供するように、選択、配置又は組み込まれ得る。本明細書に提供される粒子は、現在知られている全ての形状に形成可能である又は音響反射強化のために作られることになる。限定するものではない例では、ナノ、マイクロ又はマクロ粒子が、球、卵形、円柱、正方形、長方形、ロッド、星、チューブ、ピラミッド、星、角柱、三角、枝状、板又は音響反射面から成る又は１又は複数の表面が、例えば、粗面化すること又はくぼみを形成すること又は音響反射特性を変えるために使用される他の技法によって適合されるように、形成される。限定するものではない例では、粒子は、板、硬いシェル、中空シェル、ロッド、米粒形、球、繊維、ワイヤ、ピラミッド、角柱、又はそれらの組み合わせのような形状及び特性を有する。
【０１３１】
１つの特定の態様では、部分的に球形の表面が、例えば、その中に中空球空間を持つ粒子のような、粒子の外側及び／又は内側に設けられ得る。粒子は、マトリックスとは異なる材料で構成される。理論に縛られないことを望んでいるが、球形状は、超音波が発せられる方向に関わらず様々な角度において音反射を提供し、したがって、画像を生成するように送信された信号の少なくとも一部が超音波受信機に反射する可能性が高いことが信じられている。利用可能なマトリックスの多くは、患者において比較的超音波透過であるので、音反射粒子は適切な反射を提供する。溶液よりむしろ、複合材料の使用は、マトリックスに埋め込まれた分離した粒子からの反射のために適切なサイズを提供する。示されたように、様々な材料が、アルミニウム、硬い塑性セラミックス、並びに、金属及び／又は金属合金粒子等のような音反射粒子に利用され得る。加えて、液体、ガス、ゲル、マイクロカプセル材料、及び／又はマトリックスの中の懸濁液が、それらが所望の超音波反射特性を持つ複合材料を形成する限り、単独又は組み合わせのいずれかで代替的に使用され得る。
【０１３２】
上述の実施形態のいずれか、代替又はエコー源性特性を強化するためのフィルタ変更はまた、ディスプレイを見る人間のオペレータによって登録され得る又はイメージング超音波システムにおけるフィルタからの音響反射を含む反射の信号処理技法を使用して識別され得る、エコー源性の識別可能又はユニークな特徴又は音響反射サインを提供するような方法で設計され得る又は実装され得る。１つの例では、フィルタの端部の場所；フィルタの固定要素の場所；フィルタの回収機構の場所；脚部、ストラット、フィルタ若しくはフィルタの端部の１若しくは複数の脚部、ストラット、フィルタ又は端部の他に対する配向又はフィルタ全体の体の管腔、血管又は中空器官に対する配向；の１又は複数を決定するのに役立つ位置の１又は複数のエコー登録可能又は識別可能な特徴部、マーク又はしるしを有するフィルタの表面がある。さらに、本明細書に記載されたようなフィルタに強化されたイメージング特定を提供する他の広く適用可能な態様では、特性又は変更は−しかし、フィルタに加えられる又は組み込まれる−フィルタ、フィルタ構成要素又はフィルタの特定の部分が本明細書に記載されたような血管内超音波によってより容易に画像化されることを可能にする。さらに他の態様では、フィルタの特性又は変更は、フィルタ展開若しくは回収カテーテル、スネア、又は血管内フィルタの使用を容易にするように提供される他の器具によって与えられるＩＶＵＳプローブによるＩＶＵＳイメージングを容易にするために配向及び位置決めされる。
【０１３３】
図２６は、同心配置の多数のセグメントを有するフィルタのワイヤストラット又はサポート要素（ｗ／ｓ／ｓ）の断面図である。この図示された実施形態では、ワイヤは、交互チューブセグメントに包まれる。ワイヤに直接隣接する内側チューブ（ＩＴ）がある。内側層に隣接するエコー源性セグメント層（ＥＬ）がある。内側チューブは、エコー源性層とフィルタワイヤ、ストラット又はサポート部材との間の接着性を増加させるために接合層として機能するように選択され得る。この実施形態では、エコー源性層の上に外側チューブ（ＯＴ）がある。代替構成では、内側チューブ又は外側チューブのいずれかが省略され得る。エコー源性層は、本明細書に記載されるエコー源性特性の１又は複数を有するセグメントである。
【０１３４】
図２７−３２は、１又は１より多いタイプのそれに加えられたエコー源性性質、特性又は特徴の１又は複数を有するセグメント８７の様々な例示的な実施形態を提供する。セグメント８７それ自体と共にセグメント８７に加えられる図示されたエコー源性改造のそれぞれは、フィルタの部分及びエコー源性特性の要件に基づいて、必要に応じて本明細書に記載されるように、寸法決め、スケール変更及び／又は形成され得る。
【０１３５】
図２７は、その中に形成された１又は複数のレーザドリル穴８８を有するセグメント８７の実施形態である。穴の直径及び形状は、セグメント８７が取付けられるフィルタ又はフィルタ構成要素のサイズに基づいて選択され得る。穴８８は、セグメントの壁を完全に通り抜け得る又は壁を部分的にのみ通る。穴８８は、本明細書に記載されるように、任意のパターン、間隔又は配向で形成され得る。
【０１３６】
図２８は、その上に形成された１又は複数の隆起特徴部又は代替的に粗面化された部分８９を有するセグメント８７の実施形態である。隆起特徴部又は表面の粗さのサイズ及び形状は、セグメント８７が取付けられるフィルタ又はフィルタ構成要素のサイズに基づいて選択され得る。隆起特徴部又は粗い部分８９は、本明細書に記載されるように、任意のパターン、間隔又は配向で形成され得る。
【０１３７】
図２９は、その中に形成された１又は複数のバブル９０を有するセグメント８７の実施形態である。サイズ、形状、パターン、及び１つのバブル９０又は複数のバブル９０のセグメント８７への組み込みの方法は、セグメント８７が取付けられるフィルタ又はフィルタ構成要素のサイズに基づいて選択され得る。バブル９０は、セグメント側壁の中、セグメント側壁の表面の近く又は側壁の内側表面の近くに形成され得る。１つのバブル又は複数のバブル９０は、本明細書に記載されるように、任意のパターン、間隔又は配向で形成され得る。
【０１３８】
図３０は、その中に形成された１又は複数の窪み９０を有するセグメント８７の実施形態である。窪みの直径及び形状は、セグメント８７が取付けられるフィルタ又はフィルタ構成要素のサイズに基づいて選択され得る。窪み９１は、本明細書に記載されるように、任意のパターン、間隔又は配向で形成され得る。
【０１３９】
図３１は、セグメント８７の中又は周りのコイル又は編組構造９２を有するセグメント８７の実施形態である。サイズ、形状、パターン、及びコイル又は編組９２をセグメント８７に組み込む方法は、セグメント８７が取付けられるフィルタ又はフィルタ構成要素のサイズに基づいて選択され得る。コイル又は編組９２は、セグメント側壁の中、セグメント側壁の表面の近く又は側壁の内側表面の近くに形成され得る。コイル又は編組９２は、図Ａに示されるとともに説明されるようにサンドイッチ構造の一部であり得る。コイル又は編組９２は、セグメント８７に取り付けられるフィルタ又はフィルタ部分のエコー源性特性を高めるために本明細書に記載されるように、任意のパターン、間隔又は配向で形成され得る。コイル又は編組９２は、セグメント８７の全体の長さに沿って連続的であり得る又は、代替的に、コイル又は編組９２は、複数のコイル又は編組が１つのセグメント８７の中に設けられるように選択された短い長さであり得る。
【０１４０】
図３２は、リング９３．１、９３．２及び９３．３に配置された複数のエコー源性マーカ９３を有するセグメント８７の実施形態である。説明目的のために、リングは、セグメント８７の中心長手方向軸と概して直交する配向で示される。リングは、それらの間の１ｃｍのサンプルの間隔で示される。間隔は、フィルタサイズ及び生理学的な環境のような本明細書に記載されたファクタに基づいた任意の適切な距離であり得る。同様に、リングは、セグメントの長手方向軸に対して他の配向に角度を付けられ得る。例えば、あるリングは、１つの角度配向であり得る一方、他のリングは、角度配向又は開存の配向が本明細書に記載されたフィルタ機能性又はエコー源性特性の１又は複数の提供するために利用される、異なる角度配向にあり得る。幾つかの特定の構成では、使用される間隔及びサイズは、ミリメートル範囲にある。幾つかの特定の構成では、間隔及びサイズは、ミクロン範囲にある。幾つかの特定の構成では、１つのリング又は隣接するリングの間のサイズ及び／又は間隔は、サイズ、間隔及び特徴部に関するｍｍ及びミクロンの組み合わせである。エコー源性マーカ９３のサイズ及び間隔は、セグメント８７が取り付けられるフィルタ又はフィルタ部分のサイズに基づいて選択され得る。マーカ９３は、マーカを使用する測定を容易にするために本明細書に記載されるような、任意のパターン、間隔又は配向で形成され得る。さらに、マーカ９３．１、９３．２及び９３．３は、本明細書に記載されるような他のフィルタ特性を提供するために利用され得る。
【０１４１】
図３３は、単独で又は他のセグメントと併せて使用されるセグメントの様々な代替構成を示す。セグメントは、フィルタ装置の例示のワイヤ、ストラット、又は構成要素に沿って示される。セグメントは、外部で、内部で又は腔内で使用される医療イメージングモダリティによってセグメントがより容易に画像化されることを可能にするために異なる特性を有し得る。１つの態様では、セグメント特性は、静脈又は動脈の中で使用されているフィルタに対する画像強調を提供するように選択される。他の態様では、セグメントは、セグメントが本明細書に記載されるように血管内超音波によって容易に画像化されることを可能にする異なる特性を有し得る。また他の態様では、セグメントは、フィルタ展開若しくは回収カテーテル、スネア、又は他の器具によって与えられるＩＶＵＳプローブによるＩＶＵＳイメージングを容易にするために配向及び位置決めされる。１つの例示的な実施形態では、セグメントは、ＩＶＵＳ及び外部医療イメージングモダリティを用いるイメージングを容易にするように選択及び配列される。１つの例示的な実施形態では、外部イメージングモダリティはｘ線である。
【０１４２】
また、図３３に示されているのは、異なるエコー源性特性（Ｅで示される）及び放射線不透過特性（ＲＯで示される）の組み合わせの使用である。これらの特性は、本明細書に記載されたもののいずれかの任意の組み合わせであり得る。セグメントのエコー源性特性は、Ｅセグメント８７．９及び８７．５のようなグループ分けにおける他のセグメントと同じであり得る。代替的に、セグメントのエコー源性特性は、セグメント８７．２、８７．５及び８７．７でのような隣接するグループのものと異なり得る。
【０１４３】
図３３はまた、セグメントの異なる特性及び性質が使用され得ることだけではなく、どのように可変のセグメント寸法がフィルタのエコー源性強化を助けるために使用され得るかも示す。図示されるように、セグメントは、ワイヤ、ストラット又は構成要素の長手方向軸に沿って示されるように、異なる幅又は厚さを有する。このようなものとして、図３３は、様々な幅又は厚さ値ｔ１−ｔ１０を有する一組のイメージング強化セグメント８７．１−８７．１０を示す。１つの実施形態では、セグメントは、短いリング又はバンドとして構成される。グループのセグメントの厚さは、厚さｔ１、ｔ２及びｔ３がほぼ同じであるセグメント８７．１、８７．２及び８７．３に示されるのと同様であり得る。同様に、セグメント８７．４、８７．５及び８７．６は、厚さｔ４、ｔ５及びｔ６がほぼ同じ値である同様の幅又は厚さのセグメントを示す。同様にセグメント８７．８、８７．９及び８７．１０は、厚さｔ８、ｔ９及びｔ１０がほぼ同じ値である同様の幅又は厚さのセグメントを示す。
【０１４４】
図３３はまた、どのようにセグメントの１つのグループ又は複数のグループの中のセグメントが、医療イメージングモダリティ特性を向上させるためのフィルタの強化を提供するために、様々な異なる間隔（ｓ１−ｓ６）を有し得るかを示す。例えば、８７．１、８７．２及び８７．３のセグメントグループ分けでは、セグメント８７．１とセグメント８７．２との間に間隔ｓ１があるが、セグメント８７．２とセグメント８７．３との間に間隔が無い。間隔ｓ２がセグメント８７．３の間に示されているが、セグメント８７．４、８７．５及び８７．６によって形成される組み合わせセグメントグループ分けに間隔が無い。ｓ３の間隔が、８７．４、８７．５及び８７．６の３つのセグメント組み合わせと１つのセグメント８７．７の間に示されている。１つのセグメント８７．７は、等寸法（すなわち、ｔ８＝ｔ９＝ｔ１０）且つ等間隔（すなわちｓ５＝ｓ６）にされたセグメントのグループ８７．８、８７．９及び８７．１０から間隔ｓ４だけ離間される。様々な代替実施形態では、セグメントのグループで使用される又はセグメントのグループの間の間隔は、同じ又は変更可能であり得る。
【０１４５】
図３４は、改良されたエコー源性特性を持つフィルタを提供する様々な代替態様を示す例示的なフィルタの図である。図示されたフィルタは、円錐フィルタである。図３４のフィルタは１つのタイプのフィルタの単なる典型であることが理解されるべきである。本明細書に記載された様々な代替の強化、変更及び処理が、任意の血管内又は管腔内フィルタに提供され得ることが理解されるべきである。例示的なフィルタは、３つの大まかなセクションＡ、Ｂ及びＣに分かれている。セクションＡ、Ｂ及びＣは、同じタイプの強化であり得る又は互いのセクションと異なる強化を有し得る。加えて、各セクションにおける強化のタイプは、超音波の下での検出、応答又は外観において、互いに同じ又は異なり得る。加えて、タグ、特徴又は強化はセクションの中で異なり得る。円３４０２は、エコー源性特徴部、タグ、マーカ又は強化フィルタ１０に対する変更の例示的な場所を示すために使用される。図３４の例示的な実施形態はまた、連続的なエコー源性層、特徴部又は変更又は処理３４０８を示す。図３４の例示的な実施形態はまた、強化フィルタ構造１０における屈曲ポイント３４０６の上／近くのエコー源性属性を示す。図３４の例示的な実施形態はまた、強化フィルタ構造１０の上のセグメント化されたエコー源性層、特徴部又は変更又は処理３４０４を示す。セクションＡは、フィルタの構成に応じて、頂点、先端、遠位部分又は末端端部と見なされる。セクションＢは、特定のフィルタの構成に応じて、中間ストラット、中央、濾過部分、残屑捕獲部分、又は血栓収集若しくは溶解部分と見なされる。セクションＣは、特定のフィルタの構成に応じて、後部、近位部分、近位末端部分、アンカ、固定又は穴開け部分と見なされる。セクションＡ、Ｂ及び／又はＣに対して示されたエコー源性特徴部、タグ、マーカ又は変更は、そのセクション、グループ又はセクション又はフィルタに対して意図されるエコー源性サイン又は属性に応じて、同じタイプ又は異なるタイプであり得る。このようなものとして、特定の部分に対するエコー源性特徴部、タグ、マーカ又は変更は、本明細書に記載された様々な代替のいずれかから選択され得る。
【０１４６】
エコー源性特性は、測定される又は特徴付けられる機能のタイプに応じてセクションのそれぞれに加えられ得る。例えば、エコー源性マーカ、特徴部又はタグが、例えば、末端端部、端部部分又はフィルタの回収部分の識別を提供するために、セクションＡに加えられ得る。セクションＡのエコー源性特性はまた、特にセクションＡ又はフィルタの一般的なフィルタ位置、位置決め、管腔内の姿勢、血管内のフィルタの位置特定及び血管内装置の特徴付けに一般的な他の特性に関連付けられる決定のために使用され得る。例えば、エコー源性マーカ、特徴部又はタグが、例えば、中間ストラット部分、中央又は捕獲部分の識別を提供するために、セクションＢに加えられ得る。セクションＢのエコー源性特性はまた、寸法決め、中心合わせ、留置の対称、配置、血管壁に対するインプラントの並置、血餅負荷、展開状態若しくは完了、フィルタ容量及び／又はフィルタ内容のゲージ並びにフィルタ位置、位置決め、管腔内の姿勢、血管内のフィルタの位置特定及び血管内装置の特徴付けに一般的な他の特性のように、セクションＢに関連付けられる決定のために使用され得る。例えば、エコー源性マーカ、特徴部又はタグが、例えば、後部、末端部分、回収機構、アンカ位置若しくは挿入の深さ、穴あけ表示又はフィルタの後部又は近位部分の他の特徴の識別を提供するために、セクションＣに加えられ得る。セクションＣのエコー源性特性はまた、寸法決め、中心合わせ、脚部ストラット等の留置又は配置の対称のため、並びに壁並置、アンカ侵入又は穴開けの決定のためのように、セクションＣに関連付けられる決定のために使用され得る。さらに、マーカ又はタグは、フィルタ位置、位置決め、管腔内の姿勢、血管内のフィルタの位置特定及び血管内装置の特徴付けに一般的な他の特性を決定又は評価するのに役立つように加えられ得る。
【０１４７】
強化されたエコー源性特性を有するフィルタが図３４に示され、それが血管内で動作位置にあるときの様子を示す。１つの特定の態様では、フィルタは、大きい血管において使用されている。１つの例示的な血管は、大静脈である。さらに、変更されたフィルタが、異なる静脈又は動脈にさえ用いられ得る。フィルタは、参照数字１０によって概して示され、その中でそれが位置する血管の壁は参照数字１２によって示される。フィルタ１０は、概して半球形状端部１４ａを有する全体的に卵形又はティアドロップ形状の先端ハブ１４を含む。
【０１４８】
フィルタ１０は、等しい長さであるとともに互いに同一に構成された複数の細長い脚部１６を含む。脚部１６は、脚部が先端ハブ１４に収束するように円錐幾何学形状に集合的に配列され、ハブを通って延びる中心軸周りに対称に離間される。脚部のそれぞれは、その全体の長さにわたって等しい直径であり、焼戻しステンレス鋼ワイヤ等のような、比較的弾性の材料で作られる。本明細書に記載されたエコー源性属性に加えて、脚部は、抗血栓性を有するポリマ、合成樹脂材料でコーティングされ得る。図３４は、先端１４のエコー源性マーカを示す。例示的な連続エコー源性層、特徴部又は変更も、フィルタの１又は複数の脚部に沿って示されている。加えて、図３４は、フィルタ要素又は構成要素の屈曲ポイントでの、同屈曲ポイントに沿った又は同屈曲ポイントの近くのエコー源性タグ、特徴部又はマーカの使用を示す。加えて、図３４は、フィルタの固定要素の近くのエコー源性マーカ、タグ又は特徴部の適用を示す。
【０１４９】
他の代替実施形態では、単独又は放射線不透過性強化部と組み合わせた１又は複数のエコー源性強化部を有する物質捕獲構造が提供される。１つの態様では、フィルタで使用されるフィルタ構造は、エコー源性及び放射線不透過性強化部の両方を含む。
【０１５０】
１つの態様では、フィルタは、ＩＶＣフィルタに物質捕獲構造を含み、蛍光透視及び超音波イメージングモダリティの下で見ることができ、使用している間に物質捕獲構造の状態又は状況の視界を高めるために適切なエコー源性特性を含む。物質所隔構造が見られることを可能にすることは、医師が適切に中心に置き且つフィルタの配置を確認することを可能にする。
【０１５１】
１つの態様では、フィルタ要素又は構造は、エコー源性又は放射線不透過性材料若しくは処理の１又は複数を組み込むようにドープ（ｄｏｐｅ）される。１つの態様では、膜、フィラメント若しくはストランド又はフィルタ構造若しくはフィルタのウェビング（ｗｅｂｂｉｎｇ）を形成するために使用される他の構造は、例えば、いずれかに限定されるものではないが、タングステン又は金のような、高いエコー源性特性を有する放射線不透過性材料を含む。
【０１５２】
他の実施形態では、１又は複数の膜、フィラメント又は物質所隔構造の中のフィラメントの部分は、本明細書のいずれかに記載されたような、１又は複数の非金属エコー源性特徴部を含む。例えば、膜又はフィラメント又はその部分が、材料に加えられた又は使用される混入空気又はガスを伴う材料の使用によるのいずれかの空気ポケットを含み得る。他の例は、複数の穴を持つ膜を含み得る。１つの実施形態では、ｅＰＴＦＥ縫合糸が、ｅＰＴＦＥ材料の空気含有量のためにエコー源性特性を有する。他の態様では、縫合材料又はフィラメント又はポリマストランドがまた、窪みのある／粗面化された／マトリックス／スポンジ材料、添加物、又は縫合糸、フィラメント、材料又は物質捕獲構造の全体のエコー源性特性を提供若しくは強化するための変更を、全体に又は一部に含み得る。
【０１５３】
１つの態様では、これらの追加の材料は、医師が血管内でフィルタを中心合わせ又は配置するのを助ける。他の態様では、この改良は、ＩＶＵＳと併せて使用され、フィルタのフィルタ部分の適切な観察を可能にするとともに、フィルタのウェビングを通るカテーテルの正確な侵入／除去と同時にフィルタ配置の協働位置合わせを可能にする。
【０１５４】
フィルタのこの発明の態様の利点は、例えば、限定ではなく、フィルタ配置、フィルタ位置の正確な表示、カテーテルの導入／後退の容易さ、より正確な評価のためのより大きい可視スペース、ＩＶＵＳを伴うフィルタ位置の協働位置合わせの能力及び／又はフィルタを所望の位置により良く配置する能力を含む。
【０１５５】
革新的なフィルタの使用のさらに他の態様は、例えば、フィルタの展開、フィルタの位置決め、フィルタの寸法決め、及び推定処理長さ並びに縫合糸及び／又は物質捕獲構造の可視性を含む。さらに他の態様では、革新的なフィルタの使用は、例えば、大静脈フィルタの展開、ＩＶＣフィルタの位置決め、ＩＶＣフィルタの寸法決め、及び推定処理長さ並びに強化された縫合糸可視性を含む。
【０１５６】
１つの実施形態では、包み込まれたＩＶＣフィルタを持つＩＶＣフィルタ送達システムがある。このフィルタは、メッシュ、縫合糸、ウェブ又は予想されたフィルタの使用に適している他の物質捕獲構造を有する。メッシュ、縫合糸、ウェブ又は他の物質捕獲構造は、蛍光下でのより良い可視性の及びＩＶＵＳ案内下の良好な視野のための良好なエコー源性の高放射線不透過性材料でドープされた１又は複数の構成要素を有する。さらなる代替実施形態では、上述の技術は、全ての目的に対してその全体が参照により本明細書に援用される米国特許出願第１１／９６９，８２７号として２００８年６月４日に出願された“Ｅｎｄｏｌｕｍｉｎａｌ  Ｆｉｌｔｅｒ  ｗｉｔｈ  Ｆｉｘａｔｉｏｎ”と題する米国特許出願公開第２００８／０１４７１１１号（‘７１１１号公報）に記載された１又は複数の物質捕獲構造に適用され得る。１つの特定の態様では、‘７１１１号公報の図５８に示されたフィラメント／ストランド／縫合糸４６１は、上述に記載されたように、単独で又は図示された薬理的コーティング４６６と組み合わせてコーティング又はドープされ得る。
【０１５７】
本明細書に開示された装置及び方法の変形及び修正は、当業者に容易に明らかになるであろう。このようなものとして、前述の詳細な説明及び添付の図面は、明確さ及び理解のためになされたもので、本発明の範囲を限定することが意図されず、本発明の範囲は添付の請求項によって定められることが理解されるべきである。本明細書に記載されるいずれか１つの実施形態に記載される任意の特徴は、好適であろうとなかろうと、他の実施形態のいずれかの任意の他の特徴と組み合されることができる。
【０１５８】
本明細書に記載された例及び実施形態は、説明目的だけのためのであり、それを踏まえた様々な修正又は変更は、当業者に連想されるであろうとともに、本出願及び添付の請求項の精神及び範囲の中に含まれることになる。本明細で引用された全ての刊行物、特許、及び特許出願は、全ての目的に関して参照により本明細書に援用される。
【０１５９】
次の付記を記す。
（付記１）  近位端部、遠位端部、及び前記遠位端部の近くに位置する第１の圧力センサを有するガイドワイヤ；
近位端部、遠位端部及び管腔を有る第１のシースであって、前記管腔は前記ガイドワイヤを受け入れるように構成される、第１のシース；
前記第１のシースの遠位部分に取り付けられる第１の遠位保護フィルタ；
近位端部、遠位端部及び管腔を有する第２のシースであって、前記第２のシースは前記第１のシースの上に配置され、前記第２のシースの前記遠位端部は前記第１の遠位保護フィルタの近位に位置する、第２のシース；
前記第２のシースの遠位部分に取り付けられる第２の遠位保護フィルタ；並びに
前記第１のシース及び前記第２のシース両方の上に配置される外側シース；を有する、
塞栓保護を提供するシステム。
（付記２）  前記第１の遠位保護フィルタは、近位ループ及び遠位ループを定める摺動可能な交差ポイントを持つ自己拡張フレーム、並びに前記第１の遠位保護フィルタの前記自己拡張フレームの前記近位ループ又は前記遠位ループの一方に取り付けられるフィルタ要素を有し、前記交差ポイントは前記フィルタ要素に隣接し、
前記第２の遠位保護フィルタは、近位ループ及び遠位ループを定める摺動可能な交差ポイントを持つ自己拡張フレーム、並びに前記第２の遠位保護フィルタの前記自己拡張フレームの前記近位ループに取り付けられるフィルタ要素を有し、前記交差ポイントは前記フィルタ要素に隣接する、
付記１に記載のシステム。
（付記３）  前記外側シースの前記遠位端部に配置される血管内超音波トランスデューサをさらに有する、
付記１又は２に記載のシステム。
（付記４）  非外傷性先端に配置される血管内超音波トランスデューサをさらに有し、前記非外傷性先端は前記第１のシースの前記遠位端部から延びる、
付記１又は２に記載のシステム。
（付記５）  前記第１の遠位保護フィルタ及び前記第２の遠位保護フィルタのそれぞれに配置される１又は複数のエコー源性特徴部をさらに有する、
付記１又は２に記載のシステム。
（付記６）  前記外側シースの遠位部分に位置する第２の圧力センサをさらに有する、
付記１又は２に記載のシステム。
（付記７）  前記第１の遠位保護フィルタの近位で前記第１のシースに位置する第３の圧力センサをさらに有し、前記第１の遠位保護フィルタが左総頚動脈に配置されるとき、前記第３の圧力センサが大動脈弓に位置するように構成される、
付記６に記載のシステム。
（付記８）  前記第１の遠位保護フィルタの近位で且つ前記第１の遠位保護フィルタに近接して前記第１のシースに位置する第３の圧力センサ、及び前記第２の遠位保護フィルタの遠位で且つ前記第２の遠位保護フィルタに近接して前記第１のシースに位置する第４の圧力センサ、をさらに有する、
付記６に記載のシステム。
（付記９）  前記第１の遠位保護フィルタの中で前記第１のシースに位置する第３の圧力センサ、及び前記第２の遠位保護フィルタの中で前記第１のシースに位置する第４の圧力センサ、をさらに有する、
付記６に記載のシステム。
（付記１０）  近位端部及び遠位端部を有する第１の細長部材；
前記第１の細長部材の遠位部分に取り付けられる第１の遠位保護フィルタ；
近位端部、遠位端部及び管腔を有する第１のシースであって、前記第１のシースは前記第１の細長部材の上に配置され、前記第１のシースの前記遠位端部は前記第１の遠位保護フィルタの近位に位置する、第１のシース；
前記第１のシースの遠位部分に取り付けられる第２の遠位保護フィルタ；並びに
前記第１の細長部材及び前記第１のシース両方の上に配置される外側シースであって、前記外側シースの前記遠位部分は迅速交換ガイドワイヤ管腔を有する、外側シース；を有する、
塞栓保護を提供するシステム。
（付記１１）  前記迅速交換ガイドワイヤ管腔内に配置されるガイドワイヤをさらに有し、前記ガイドワイヤは、前記ガイドワイヤの遠位端部に位置する第１の圧力センサを有する、
付記１０に記載のシステム。
（付記１２）  前記ガイドワイヤは、前記第１の圧力センサの近位に位置する第２の圧力センサをさらに有し、前記第２の圧力センサは、前記第１の圧力センサが左総頚動脈の中に配置されるとき、腕頭動脈又は右鎖骨下動脈の中に配置されるように構成される、
付記１１に記載のシステム。
（付記１３）  前記ガイドワイヤは、前記第１の圧力センサと前記第２の圧力センサとの間に位置する第３の圧力センサをさらに有し、前記第３の圧力センサは、前記第１の圧力センサが左総頚動脈の中に配置されるとき、大動脈弓の中に配置されるように構成される、
付記１２に記載のシステム。
（付記１４）  前記迅速交換ガイドワイヤ管腔の遠位で前記外側シースに位置する血管内超音波トランスデューサをさらに有する、
付記１０乃至１３のいずれか１項に記載のシステム。
（付記１５）  近位端部、及び遠位端部を有するガイドワイヤ；
近位端部、遠位端部及び管腔を有る第１のシースであって、前記管腔が前記ガイドワイヤを受け入れるように構成される、第１のシース；
前記第１のシースの遠位部分に取り付けられる第１の遠位保護フィルタ；
近位端部、遠位端部及び管腔を有する第２のシースであって、前記第２のシースは前記第１のシースの上に配置され、前記第２のシースの前記遠位端部は前記第１の遠位保護フィルタの近位に位置する、第２のシース；
前記第２のシースの遠位部分に取り付けられる第２の遠位保護フィルタ；
前記第１のシース及び前記第２のシース両方の上に配置される外側シース；並びに
前記外側シースの前記遠位端部に配置される血管内超音波トランスデューサ；を有する、
塞栓保護を提供するシステム。
（付記１６）  近位端部、及び遠位端部を有するガイドワイヤ；
近位端部、遠位端部及び管腔を有する第１のシースであって、前記管腔が前記ガイドワイヤを受け入れるように構成される、第１のシース；
前記第１のシースの遠位部分に取り付けられる第１の遠位保護フィルタ；
近位端部、遠位端部及び管腔を有する第２のシースであって、前記第２のシースは前記第１のシースの上に配置され、前記第２のシースの前記遠位端部は前記第１の遠位保護フィルタの近位に位置する、第２のシース；
前記第２のシースの遠位部分に取り付けられる第２の遠位保護フィルタ；
前記第１のシース及び前記第２のシース両方の上に配置される外側シース；並びに
非外傷性先端に配置される血管内超音波トランスデューサであって、前記非外傷性先端は前記第１のシースの前記遠位端部から延びる、血管内超音波トランスデューサ；を有する、
塞栓保護を提供するシステム。
【図１Ａ】
2019134972.tif 000003
【図１Ｂ】
2019134972.tif 000004
【図２Ａ−２Ｃ】
2019134972.tif 000005
【図３Ａ−３Ｂ】
2019134972.tif 000006
【図４Ａ−４Ｆ】
2019134972.tif 000007
【図５Ａ−５Ｆ】
2019134972.tif 000008
【図５Ｇ−５Ｉ】
2019134972.tif 000009
【図６Ａ−６Ｅ】
2019134972.tif 000010
【図７Ａ−７Ｅ】
2019134972.tif 000011
【図８Ａ−８Ｆ】
2019134972.tif 000012
【図９Ａ−９Ｂ】
2019134972.tif 000013
【図９Ｃ−９Ｄ】
2019134972.tif 000014
【図９Ｅ−９Ｆ】
2019134972.tif 000015
【図１０Ａ−１０Ｆ】
2019134972.tif 000016
【図１１Ａ−１１Ｂ】
2019134972.tif 000017
【図１１Ｃ】
2019134972.tif 000018
【図１１Ｄ】
2019134972.tif 000019
【図１２Ａ−１２Ｅ】
2019134972.tif 000020
【図１３Ａ−１３Ｃ】
2019134972.tif 000021
【図１４Ａ−１４Ｂ】
2019134972.tif 000022
【図１５Ａ−１５Ｂ】
2019134972.tif 000023
【図１６】
2019134972.tif 000024
【図１７Ａ】
2019134972.tif 000025
【図１７Ｂ】
2019134972.tif 000026
【図１７Ｃ】
2019134972.tif 000027
【図１７Ｄ】
2019134972.tif 000028
【図１７Ｅ】
2019134972.tif 000029
【図１７Ｆ】
2019134972.tif 000030
【図１７Ｇ】
2019134972.tif 000031
【図１７Ｈ】
2019134972.tif 000032
【図１７Ｉ】
2019134972.tif 000033
【図１７Ｊ】
2019134972.tif 000034
【図１７Ｋ】
2019134972.tif 000035
【図１７Ｌ】
2019134972.tif 000036
【図１８Ａ】
2019134972.tif 000037
【図１８Ｂ】
2019134972.tif 000038
【図１８Ｃ】
2019134972.tif 000039
【図１８Ｄ】
2019134972.tif 000040
【図１８Ｅ】
2019134972.tif 000041
【図１９Ａ−１９Ｃ】
2019134972.tif 000042
【図１９Ｄ−１９Ｆ】
2019134972.tif 000043
【図２０Ａ−２０Ｂ】
2019134972.tif 000044
【図２１Ａ−２１Ｃ】
2019134972.tif 000045
【図２２Ａ−２２Ｄ】
2019134972.tif 000046
【図２３Ａ−２３Ｂ】
2019134972.tif 000047
【図２４】
2019134972.tif 000048
【図２５Ａ−２５Ｂ】
2019134972.tif 000049
【図２５Ｃ】
2019134972.tif 000050
【図２６】
2019134972.tif 000051
【図２７】
2019134972.tif 000052
【図２８】
2019134972.tif 000053
【図２９】
2019134972.tif 000054
【図３０】
2019134972.tif 000055
【図３１】
2019134972.tif 000056
【図３２】
2019134972.tif 000057
【図３３】
2019134972.tif 000058
【図３４】
2019134972.tif 000059